(57)【要約】  新しい無線通信システムにおいてＰＵＣＣＨ送信シナリオをサポートする明確的な方法または装置がないという従来技術の技術的問題を解決するために、ＰＵＣＣＨ送信方法、ユーザー機器及び装置が提供される。ここで、ＰＵＣＣＨ送信方法は、ＰＤＣＣＨおよび／またはＰＤＳＣＨによって使用されるダウンリンクビームに従って、ＰＵＣＣＨ送信中に使用されるアップリンクビームを決定するステップと、前記決定されたアップリンクビームにより、前記ＰＵＣＣＨ送信を実行するステップとを有する。
2020530716.tif 000002
【特許請求の範囲】
【請求項１】
ＰＤＣＣＨおよび／またはＰＤＳＣＨによって使用されるダウンリンクビームに従って、ＰＵＣＣＨ送信中に使用されるアップリンクビームを決定するステップと、
前記決定されたアップリンクビームにより、前記ＰＵＣＣＨ送信を実行するステップとを有することを特徴とする物理アップリンク制御チャネル（ＰＵＣＣＨ）送信方法。
【請求項２】
前記ＰＤＣＣＨは、ＡＣＫ／ＮＡＣＫフィードバックが前記ＰＵＣＣＨ上で実行される必要があるＰＤＣＣＨ、ＡＣＫ／ＮＡＣＫフィードバックが前記ＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨであることを特徴とする請求項１に記載の物理アップリンク制御チャネル（ＰＵＣＣＨ）送信方法。
【請求項３】
ＰＤＣＣＨおよび／またはＰＤＳＣＨによって使用されるダウンリンクビームに従って、ＰＵＣＣＨ送信中に使用されるアップリンクビームを決定し、前記決定されたアップリンクビームによって前記ＰＵＣＣＨ送信を実行する場合、
受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームを決定し、または前記ＰＵＣＣＨの復調基準信号ＤＭＲＳポートと第１の基準信号のリソース上のポートとの間のＱＣＬ関係を決定し、前記アップリンクＢＰＬに対応するアップリンクビームにより、ＰＵＣＣＨ送信を実行し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行し、または、
受信されたＰＤＣＣＨおよび／またはＰＤＳＣＨに対応するダウンリンクＢＰＬに従って対応するアップリンクビームインデックスを決定し、前記アップリンクビームインデックスに従って、対応するアップリンクビームＰＵＣＣＨ送信を実行し、または、
受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行し、または、
受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定し、前記アップリンクビームインデックスに従って、対応するアップリンクビームＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定し、前記ＰＵＣＣＨのＤＭＲＳポートと第１の基準信号のリソース上のポートとの間のＱＣＬ関係に従って、ＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームを決定し、または前記ＰＵＣＣＨのＤＭＲＳポートと第１の基準信号のリソース上のポートとの間のＱＣＬ関係を決定し、前記アップリンクＢＰＬに対応するアップリンクビームにより、ＰＵＣＣＨ送信を実行し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定し、前記アップリンクビームインデックスに従って、対応するアップリンクビームＰＵＣＣＨ送信を実行することを特徴とする請求項１に記載の物理アップリンク制御チャネル（ＰＵＣＣＨ）送信方法。
【請求項４】
前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有することを特徴とする請求項３に記載の物理アップリンク制御チャネル（ＰＵＣＣＨ）送信方法。
【請求項５】
ＰＤＣＣＨおよび／またはＰＤＳＣＨによって使用されるダウンリンクビームに従って、ＰＵＣＣＨ送信中に使用されるアップリンクビームを決定する場合、
事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定することを特徴とする請求項１から請求項４のいずれか一項に記載の物理アップリンク制御チャネル（ＰＵＣＣＨ）送信方法。
【請求項６】
ＰＤＣＣＨおよび／またはＰＤＳＣＨによって使用されるダウンリンクビームに従って、ＰＵＣＣＨ送信中に使用されるアップリンクビームを決定する場合、
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
前記決定されたアップリンクビームにより、前記ＰＵＣＣＨ送信を実行する場合、
決定されたアップリンクビームにより、同じＰＵＣＣＨ上で前記複数のＰＤＣＣＨおよび／またはＰＤＳＣＨに関連するＡＣＫ／ＮＡＣＫを送信することを特徴とする請求項１から請求項４のいずれか一項に記載の物理アップリンク制御チャネル（ＰＵＣＣＨ）送信方法。
【請求項７】
ＰＤＣＣＨおよび／またはＰＤＳＣＨによって使用されるダウンリンクビームに従って、ＰＵＣＣＨ送信中に使用されるアップリンクビームを決定する場合、
複数のＰＤＣＣＨおよび／またはＰＤＳＣＨが受信され、前記複数のＰＤＣＣＨおよび／またはＰＤＳＣＨによって使用されるビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
前記決定されたアップリンクビームにより、前記ＰＵＣＣＨ送信を実行する場合、
決定されたアップリンクビームにより、同じＰＵＣＣＨ上で前記複数のＰＤＣＣＨおよび／またはＰＤＳＣＨに関連するＡＣＫ／ＮＡＣＫを送信することを特徴とする請求項１から請求項４のいずれか一項に記載の物理アップリンク制御チャネル（ＰＵＣＣＨ）送信方法。
【請求項８】
ＰＤＣＣＨおよび／またはＰＤＳＣＨによって使用されるビームにより、ＰＵＣＣＨ送信中に使用されるアップリンクビームを決定する場合、
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信された第１のＰＤＣＣＨおよび／またはＰＤＳＣＨによって使用されるダウンリンクビーム−ｘに従って、第１のアップリンクビームを決定し、前記第１のアップリンクビームを使用して前記第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用して前記第２のＰＤＣＣＨおよび／またはＰＤＳＣＨに関連するＡＣＫ／ＮＡＣＫを運ぶＰＵＣＣＨを送信し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運ぶことを特徴とする請求項１から請求項４のいずれか一項に記載の物理アップリンク制御チャネル（ＰＵＣＣＨ）送信方法。
【請求項９】
ＰＤＣＣＨおよび／またはＰＤＳＣＨによって使用されるビームにより、ＰＵＣＣＨ送信中に使用されるアップリンクビームを決定する場合、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、前記第１のグループに対応する第１のアップリンクメインビームを使用して前記第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して前記第２のＰＤＣＣＨおよび／またはＰＤＳＣＨに関連するＡＣＫ／ＮＡＣＫを運ぶＰＵＣＣＨを送信することを特徴とする請求項１から請求項４のいずれか一項に記載の物理アップリンク制御チャネル（ＰＵＣＣＨ）送信方法。
【請求項１０】
ＰＵＣＣＨ送信中に使用されるアップリンクビームとして前記複数のアップリンクビームから１つのアップリンクビームを選択する場合、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記少なくとも１つのアップリンクビームに前記アップリンクメインビームが含まれていない場合、ＰＵＣＣＨ送信に使用されるアップリンクビームとして前記少なくとも１つのビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記少なくとも１つのアップリンクビームに前記メインセルに対応するアップリンクビームが存在しない場合、補助セルに対応するアップリンクビームをＰＵＣＣＨ送信中に使用されるアップリンクビームとすることを特徴とする請求項６またはから請求項８に記載の物理アップリンク制御チャネル（ＰＵＣＣＨ）送信方法。
【請求項１１】
前記複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択することを特徴とする請求項７またはから請求項８に記載の物理アップリンク制御チャネル（ＰＵＣＣＨ）送信方法。
【請求項１２】
端末がＰＤＣＣＨおよび／またはＰＤＳＣＨによって使用されるダウンリンクビームに従って、ＰＵＣＣＨ送信中に使用されるアップリンクビームを決定すると決定するステップと、
端末が前記決定されたアップリンクビームにより、前記ＰＵＣＣＨ送信を実行すると決定するステップとを有することを特徴とする物理アップリンク制御チャネル送信方法。
【請求項１３】
前記ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨであることを特徴とする請求項１２に記載の物理アップリンク制御チャネル送信方法。
【請求項１４】
端末がＰＤＣＣＨおよび／またはＰＤＳＣＨによって使用されるダウンリンクビームに従って、ＰＵＣＣＨ送信中に使用されるアップリンクビームを決定すると決定し、前記決定されたアップリンクビームによって前記ＰＵＣＣＨ送信を実行する場合、
端末が受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定し、または、
端末が受信されたＰＤＣＣＨおよび／またはＰＤＳＣＨに対応するダウンリンクＢＰＬに従って対応するアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定すると決定し、端末が前記ＱＣＬ関係に従ってＰＵＣＣＨ送信を実行すると決定し、または、
端末が受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定すると決定し、端末が前記ＰＵＣＣＨのＤＭＲＳポートと第１の基準信号のリソース上のポートとの間のＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定すると決定し、端末が前記アップリンクビームインデックスに従って、対応するアップリンクビームＰＵＣＣＨ送信を実行すると決定することを特徴とする請求項１２に記載の物理アップリンク制御チャネル送信方法。
【請求項１５】
前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有することを特徴とする請求項１４に記載の物理アップリンク制御チャネル送信方法。
【請求項１６】
端末がＰＤＣＣＨおよび／またはＰＤＳＣＨによって使用されるダウンリンクビームに従って、ＰＵＣＣＨ送信中に使用されるアップリンクビームを決定すると決定する場合、
端末が、事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定すると決定することを特徴とする請求項１２から請求項１５のいずれか一項に記載の物理アップリンク制御チャネル送信方法。
【請求項１７】
端末がＰＤＣＣＨおよび／またはＰＤＳＣＨによって使用されるダウンリンクビームに従って、ＰＵＣＣＨ送信中に使用されるアップリンクビームを決定すると決定する場合、
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信することを特徴とする請求項１２から請求項１５のいずれか一項に記載の物理アップリンク制御チャネル送信方法。
【請求項１８】
端末がＰＤＣＣＨおよび／またはＰＤＳＣＨによって使用されるダウンリンクビームに従って、ＰＵＣＣＨ送信中に使用されるアップリンクビームを決定すると決定する場合、
複数のＰＤＣＣＨおよび／またはＰＤＳＣＨが受信され、前記複数のＰＤＣＣＨおよび／またはＰＤＳＣＨによって使用されるビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信することを特徴とする請求項１２から請求項１５のいずれか一項に記載の物理アップリンク制御チャネル送信方法。
【請求項１９】
端末がＰＤＣＣＨおよび／またはＰＤＳＣＨによって使用されるビームにより、ＰＵＣＣＨ送信中に使用されるアップリンクビームを決定すると決定する場合、
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信された第１のＰＤＣＣＨおよび／またはＰＤＳＣＨによって使用されるダウンリンクビーム−ｘに従って、第１のアップリンクビームを決定し、前記第１のアップリンクビームを使用して前記第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用して前記第２のＰＤＣＣＨおよび／またはＰＤＳＣＨに関連するＡＣＫ／ＮＡＣＫを運ぶＰＵＣＣＨを送信し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運ぶことを特徴とする請求項１２から請求項１５のいずれか一項に記載の物理アップリンク制御チャネル送信方法。
【請求項２０】
端末がＰＤＣＣＨおよび／またはＰＤＳＣＨによって使用されるビームにより、ＰＵＣＣＨ送信中に使用されるアップリンクビームを決定すると決定する場合、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、前記第１のグループに対応する第１のアップリンクメインビームを使用して前記第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して前記第２のＰＤＣＣＨおよび／またはＰＤＳＣＨに関連するＡＣＫ／ＮＡＣＫを運ぶＰＵＣＣＨを送信することを特徴とする請求項１２から請求項１５のいずれか一項に記載の物理アップリンク制御チャネル送信方法。
【請求項２１】
ＰＵＣＣＨ送信中に使用されるアップリンクビームとして前記複数のアップリンクビームから１つのアップリンクビームを選択する場合、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記少なくとも１つのアップリンクビームに前記アップリンクメインビームが含まれていない場合、ＰＵＣＣＨ送信に使用されるアップリンクビームとして前記少なくとも１つのビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記少なくとも１つのアップリンクビームに前記メインセルに対応するアップリンクビームが存在しない場合、補助セルに対応するアップリンクビームをＰＵＣＣＨ送信中に使用されるアップリンクビームとすることを特徴とする請求項１７または請求項１９に記載の物理アップリンク制御チャネル送信方法。
【請求項２２】
前記複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択することを特徴とする請求項１８または請求項１９に記載の物理アップリンク制御チャネル送信方法。
【請求項２３】
ユーザー機器プロセッサと、プロセッサに接続されたメモリと、送受信機とを備え、
前記プロセッサは、メモリ内のプログラムを読み取り、次のプロセスを実行するように構成され、
ＰＤＣＣＨおよび／またはＰＤＳＣＨによって使用されるダウンリンクビームに従って、ＰＵＣＣＨ送信中に使用されるアップリンクビームを決定し、
送受信機を制御して決定されたアップリンクビームＰＵＣＣＨ送信を実行することを特徴とするユーザー機器。
【請求項２４】
前記ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨであることを特徴とする請求項２３に記載のユーザー機器。
【請求項２５】
前記決定ユニットは、受信されたＰＤＣＣＨおよび／またはＰＤＳＣＨに対応するダウンリンクビームペアリンケージ（ＢＰＬ）に従って、対応するアップリンクＢＰＬ前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定し、前記決定ユニットは、前記アップリンクＢＰＬに対応するアップリンクビームにより、ＰＵＣＣＨ送信を実行し、または、前記決定ユニットは、前記アップリンクＢＰＬに従って前記ＰＵＣＣＨのＤＭＲＳポートと第１の基準信号のリソース上のポートとの間のＱＣＬ関係を決定し、前記送信ユニットは、前記ＱＣＬ関係に従ってＰＵＣＣＨ送信を実行するように構成され、または、
前記決定ユニットは、受信されたＰＤＣＣＨおよび／またはＰＤＳＣＨに対応するダウンリンクＢＰＬに従って対応するアップリンクビームインデックスを決定し、前記送信ユニットは、前記アップリンクビームインデックスに従って、対応するアップリンクビームＰＵＣＣＨ送信を実行し、または、
前記決定ユニットは、受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定し、前記送信ユニットは、前記ＱＣＬ関係に従ってＰＵＣＣＨ送信を実行し、または、
前記決定ユニットは、受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定し、前記送信ユニットは、前記アップリンクビームインデックスに従って、対応するアップリンクビームＰＵＣＣＨ送信を実行し、または、
前記決定ユニットは、受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定し、前記送信ユニットは、前記ＰＵＣＣＨのＤＭＲＳポートと第１の基準信号のリソース上のポートとの間のＱＣＬ関係に従って、ＰＵＣＣＨ送信を実行し、または、
前記決定ユニットは、受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定し、前記送信ユニットは、前記アップリンクＢＰＬに対応するアップリンクビームにより、ＰＵＣＣＨ送信を実行し、または、前記決定ユニットは、前記アップリンクＢＰＬに従って前記ＰＵＣＣＨのＤＭＲＳポートと第１の基準信号のリソース上のポートとの間のＱＣＬ関係を決定し、前記送信ユニットは、前記ＱＣＬ関係に従ってＰＵＣＣＨ送信を実行し、または、
前記決定ユニットは、受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定し、前記送信ユニットは、前記アップリンクビームインデックスに従って、対応するアップリンクビームＰＵＣＣＨ送信を実行することを特徴とする請求項２３に記載のユーザー機器。
【請求項２６】
前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有することを特徴とする請求項２３に記載のユーザー機器。
【請求項２７】
前記決定ユニットは、
事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定することを特徴とする請求項２３から請求項２６のいずれか一項に記載のユーザー機器。
【請求項２８】
前記決定ユニットは、
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
前記送信ユニットは、
決定されたアップリンクビームにより、同じＰＵＣＣＨ上で前記複数のＰＤＣＣＨおよび／またはＰＤＳＣＨに関連するＡＣＫ／ＮＡＣＫを送信することを特徴とする請求項２３から請求項２６のいずれか一項に記載のユーザー機器。
【請求項２９】
前記決定ユニットは、
複数のＰＤＣＣＨおよび／またはＰＤＳＣＨが受信され、前記複数のＰＤＣＣＨおよび／またはＰＤＳＣＨによって使用されるビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
前記送信ユニットは、
決定されたアップリンクビームにより、同じＰＵＣＣＨ上で前記複数のＰＤＣＣＨおよび／またはＰＤＳＣＨに関連するＡＣＫ／ＮＡＣＫを送信することを特徴とする請求項２３から請求項２６のいずれか一項に記載のユーザー機器。
【請求項３０】
前記決定ユニットは、
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信された第１のＰＤＣＣＨおよび／またはＰＤＳＣＨによって使用されるダウンリンクビーム−ｘに従って、第１のアップリンクビームを決定し、前記第１のアップリンクビームを使用して前記第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用して前記第２のＰＤＣＣＨおよび／またはＰＤＳＣＨに関連するＡＣＫ／ＮＡＣＫを運ぶＰＵＣＣＨを送信すると決定し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運ぶことを特徴とする請求項２３から請求項２６のいずれか一項に記載のユーザー機器。
【請求項３１】
前記決定ユニットは、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、前記第１のグループに対応する第１のアップリンクメインビームを使用して前記第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して前記第２のＰＤＣＣＨおよび／またはＰＤＳＣＨに関連するＡＣＫ／ＮＡＣＫを運ぶＰＵＣＣＨを送信すると決定することを特徴とする請求項２３から請求項２６のいずれか一項に記載のユーザー機器。
【請求項３２】
前記決定ユニットは、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記少なくとも１つのアップリンクビームに前記アップリンクメインビームが含まれていない場合、ＰＵＣＣＨ送信に使用されるアップリンクビームとして前記少なくとも１つのビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記少なくとも１つのアップリンクビームに前記メインセルに対応するアップリンクビームが存在しない場合、補助セルに対応するアップリンクビームをＰＵＣＣＨ送信中に使用されるアップリンクビームとする。とを特徴とする請求項２８または請求項３０に記載のユーザー機器。
【請求項３３】
前記決定ユニットは、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択することを特徴とする請求項２９または請求項３０に記載のユーザー機器。
【請求項３４】
プロセッサと、プロセッサに接続されたメモリとを備え、
前記プロセッサは、メモリ内のプログラムを読み取り、次のプロセスを実行するように構成され、
端末がＰＤＣＣＨおよび／またはＰＤＳＣＨによって使用されるダウンリンクビームに従って、ＰＵＣＣＨ送信中に使用されるアップリンクビームを決定すると決定し、
端末が前記決定されたアップリンクビームにより、前記ＰＵＣＣＨ送信を実行すると決定することを特徴とする物理アップリンク制御チャネル送信装置。
【請求項３５】
前記ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、およびマルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨであることを特徴とする請求項３４に記載の物理アップリンク制御チャネル送信装置。
【請求項３６】
前記決定ユニットは、
端末が受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定し、または、
端末が受信されたＰＤＣＣＨおよび／またはＰＤＳＣＨに対応するダウンリンクＢＰＬに従って対応するアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定すると決定し、端末が前記ＱＣＬ関係に従ってＰＵＣＣＨ送信を実行すると決定し、または、
端末が受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定すると決定し、端末が前記ＰＵＣＣＨのＤＭＲＳポートと第１の基準信号のリソース上のポートとの間のＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定すると決定し、端末が前記アップリンクビームインデックスに従って、対応するアップリンクビームＰＵＣＣＨ送信を実行すると決定することを特徴とする請求項３４に記載の物理アップリンク制御チャネル送信装置。
【請求項３７】
前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有することを特徴とする請求項３６に記載の物理アップリンク制御チャネル送信装置。
【請求項３８】
前記決定ユニットは、
端末が、事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定すると決定することを特徴とする請求項３４から請求項３７のいずれか一項に記載の物理アップリンク制御チャネル送信装置。
【請求項３９】
前記決定ユニットは、
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信することを特徴とする請求項３４から請求項３７のいずれか一項に記載の物理アップリンク制御チャネル送信装置。
【請求項４０】
前記決定ユニットは、
複数のＰＤＣＣＨおよび／またはＰＤＳＣＨが受信され、前記複数のＰＤＣＣＨおよび／またはＰＤＳＣＨによって使用されるビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信しすることを特徴とする請求項３４から請求項３７のいずれか一項に記載の物理アップリンク制御チャネル送信装置。
【請求項４１】
前記決定ユニットは、
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信された第１のＰＤＣＣＨおよび／またはＰＤＳＣＨによって使用されるダウンリンクビーム−ｘに従って、第１のアップリンクビームを決定し、前記第１のアップリンクビームを使用して前記第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用して前記第２のＰＤＣＣＨおよび／またはＰＤＳＣＨに関連するＡＣＫ／ＮＡＣＫを運ぶＰＵＣＣＨを送信し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運ぶことを特徴とする請求項３４から請求項３７のいずれか一項に記載の物理アップリンク制御チャネル送信装置。
【請求項４２】
前記決定ユニットは、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、前記第１のグループに対応する第１のアップリンクメインビームを使用して前記第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して前記第２のＰＤＣＣＨおよび／またはＰＤＳＣＨに関連するＡＣＫ／ＮＡＣＫを運ぶＰＵＣＣＨを送信することを特徴とする請求項３４から請求項３７のいずれか一項に記載の物理アップリンク制御チャネル送信装置。
【請求項４３】
前記決定ユニットは、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記少なくとも１つのアップリンクビームに前記アップリンクメインビームが含まれていない場合、ＰＵＣＣＨ送信に使用されるアップリンクビームとして前記少なくとも１つのビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記少なくとも１つのアップリンクビームに前記メインセルに対応するアップリンクビームが存在しない場合、補助セルに対応するアップリンクビームをＰＵＣＣＨ送信中に使用されるアップリンクビームとすることを特徴とする請求項３９または請求項４１に記載の物理アップリンク制御チャネル送信装置。
【請求項４４】
前記決定ユニットは、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択することを特徴とする請求項４０または請求項４１に記載の物理アップリンク制御チャネル送信装置。
【請求項４５】
ＰＤＣＣＨおよび／またはＰＤＳＣＨによって使用されるダウンリンクビームに従って、ＰＵＣＣＨ送信中に使用されるアップリンクビームを決定するように構成された決定ユニットと、
前記決定されたアップリンクビームにより、前記ＰＵＣＣＨ送信を実行するように構成された送信ユニットとを備えることを特徴とするユーザー機器。
【請求項４６】
端末がＰＤＣＣＨおよび／またはＰＤＳＣＨによって使用されるダウンリンクビームに従って、ＰＵＣＣＨ送信中に使用されるアップリンクビームを決定すると決定し、および、端末が前記決定されたアップリンクビームにより、前記ＰＵＣＣＨ送信を実行すると決定するように構成された決定ユニットを備えることを特徴とするユーザー機器。
【発明の詳細な説明】
【技術分野】
【０００１】
関連出願の相互参照
本出願は、２０１７年８月１１日に中国特許局に提出し、出願番号が第２０１７１０６８７９６７．５号であり、発明名称が「ＰＵＣＣＨ送信方法、ユーザー機器及び装置」である中国特許出願を基礎とする優先権を主張し、その開示の総てをここに取り込む。
【０００２】
本発明は、通信技術分野に関し、特にＰＵＣＣＨ送信方法、ユーザー機器及び装置に関する。
【背景技術】
【０００３】
移動体通信サービス需要の発展および変化に伴い、国際電気通信連合（ＩＴＵ，Ｉｎｔｅｒｎａｔｉｏｎａｌ Ｔｅｌｅｃｏｍｍｕｎｉｃａｔｉｏｎ Ｕｎｉｏｎ）、第３世代パートナーシッププロジェクト（３ＧＰＰ，３ｒｄ Ｇｅｎｅｒａｔｉｏｎ Ｐａｒｔｎｅｒｓｈｉｐ Ｐｒｏｊｅｃｔ）および他の組織はすべて、例えば５世代新ＲＡＴ（５Ｇ ＮＲ，５ Ｇｅｎｅｒａｔｉｏｎ Ｎｅｗ ＲＡＴ）などの新しい無線通信システムの研究を開始する。
【発明の概要】
【発明が解決しようとする課題】
【０００４】
２つの送受信ポイント（ＴＲＰ，Ｔｒａｎｓｍｉｓｓｉｏｎ ａｎｄ Ｒｅｃｅｐｔｉｏｎ Ｐｏｉｎｔ）がそれぞれ物理ダウンリンク制御チャネル（ＰＤＣＣＨ， Ｐｈｙｓｉｃａｌ Ｄｏｗｎｌｉｎｋ Ｃｏｎｔｒｏｌ Ｃｈａｎｎｅｌ）および対応する物理ダウンリンク共有チャネル（ＰＤＳＣＨ， Ｐｈｙｓｉｃａｌ Ｄｏｗｎｌｉｎｋ Ｓｈａｒｅｄ Ｃｈａｎｎｅｌ）を同じ端末に送信する新しい作業シナリオが新しい無線通信システムで定義される。異なるＴＲＰからのＰＤＣＣＨ及びＰＤＳＣＨは、異なるビームを使用して送信される。このシナリオでは、対応する端末が異なるＴＲＰの異なるビームを使用して物理アップリンク制御チャネル（ＰＵＣＣＨ，Ｐｈｙｓｉｃａｌ Ｕｐｌｉｎｋ Ｃｏｎｔｒｏｌ Ｃｈａｎｎｅｌ）送信を実行する方法に対する明確なソリューションはない。
【０００５】
本発明の実施形態は、新しい無線通信システムにおいてＰＵＣＣＨ送信シナリオをサポートする明確的な方法または装置がないという従来技術の技術的問題を解決するために、ＰＵＣＣＨ送信方法、ユーザー機器及び装置を提供する。
【課題を解決するための手段】
【０００６】
第１の態様では、本発明の実施形態に係るＰＵＣＣＨ送信方法は、
ＰＤＣＣＨおよび／またはＰＤＳＣＨによって使用されるダウンリンクビームに従って、ＰＵＣＣＨ送信中に使用されるアップリンクビームを決定するステップと、
前記決定されたアップリンクビームにより、前記ＰＵＣＣＨ送信を実行するステップとを有する。
【０００７】
１つの可能な実施において、前記ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、および、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨである。
【０００８】
１つの可能な実施において、ＰＤＣＣＨおよび／またはＰＤＳＣＨによって使用されるダウンリンクビームに従って、ＰＵＣＣＨ送信中に使用されるアップリンクビームを決定し、前記決定されたアップリンクビームによって前記ＰＵＣＣＨ送信を実行する場合、
受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定し、前記アップリンクＢＰＬに対応するアップリンクビームにより、ＰＵＣＣＨ送信を実行し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行し、または、
受信されたＰＤＣＣＨおよび／またはＰＤＳＣＨに対応するダウンリンクＢＰＬに従って対応するアップリンクビームインデックスを決定し、前記アップリンクビームインデックスに従って、対応するアップリンクビームＰＵＣＣＨ送信を実行し、または、
受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行し、または、
受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定し、前記アップリンクビームインデックスに従って、対応するアップリンクビームＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定し、前記ＰＵＣＣＨのＤＭＲＳポートと第１の基準信号のリソース上のポートとの間のＱＣＬ関係に従って、ＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定し、前記アップリンクＢＰＬに対応するアップリンクビームにより、ＰＵＣＣＨ送信を実行し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定し、前記アップリンクビームインデックスに従って、対応するアップリンクビームＰＵＣＣＨ送信を実行する。
【０００９】
１つの可能な実施において、前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有する。
【００１０】
１つの可能な実施において、ＰＤＣＣＨおよび／またはＰＤＳＣＨによって使用されるダウンリンクビームに従って、ＰＵＣＣＨ送信中に使用されるアップリンクビームを決定する場合、
事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定する。
【００１１】
１つの可能な実施において、ＰＤＣＣＨおよび／またはＰＤＳＣＨによって使用されるダウンリンクビームに従って、ＰＵＣＣＨ送信中に使用されるアップリンクビームを決定する場合、
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
前記決定されたアップリンクビームにより、前記ＰＵＣＣＨ送信を実行する場合、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【００１２】
１つの可能な実施において、ＰＤＣＣＨおよび／またはＰＤＳＣＨによって使用されるダウンリンクビームに従って、ＰＵＣＣＨ送信中に使用されるアップリンクビームを決定する場合、
複数のＰＤＣＣＨおよび／またはＰＤＳＣＨが受信され、前記複数のＰＤＣＣＨおよび／またはＰＤＳＣＨによって使用されるビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
前記決定されたアップリンクビームにより、前記ＰＵＣＣＨ送信を実行する場合、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【００１３】
１つの可能な実施において、ＰＤＣＣＨおよび／またはＰＤＳＣＨによって使用されるビームにより、ＰＵＣＣＨ送信中に使用されるアップリンクビームを決定する場合、
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信された第１のＰＤＣＣＨおよび／またはＰＤＳＣＨによって使用されるダウンリンクビーム−ｘに従って、第１のアップリンクビームを決定し、前記第１のアップリンクビームを使用して前記第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用して前記第２のＰＤＣＣＨおよび／またはＰＤＳＣＨに関連するＡＣＫ／ＮＡＣＫを運ぶＰＵＣＣＨを送信し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運び、
１つの可能な実施において、ＰＤＣＣＨおよび／またはＰＤＳＣＨによって使用されるビームにより、ＰＵＣＣＨ送信中に使用されるアップリンクビームを決定する場合、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、前記第１のグループに対応する第１のアップリンクメインビームを使用して前記第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して前記第２のＰＤＣＣＨおよび／またはＰＤＳＣＨに関連するＡＣＫ／ＮＡＣＫを運ぶＰＵＣＣＨを送信する。
【００１４】
１つの可能な実施において、ＰＵＣＣＨ送信中に使用されるアップリンクビームとして前記複数のアップリンクビームから１つのアップリンクビームを選択する場合、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記少なくとも１つのアップリンクビームに前記アップリンクメインビームが含まれていない場合、ＰＵＣＣＨ送信に使用されるアップリンクビームとして前記少なくとも１つのビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記少なくとも１つのアップリンクビームに前記メインセルに対応するアップリンクビームが存在しない場合、補助セルに対応するアップリンクビームをＰＵＣＣＨ送信中に使用されるアップリンクビームとする。
【００１５】
１つの可能な実施において、前記複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択する。
【００１６】
第２の態様では、本発明の実施形態に係る別のＰＵＣＣＨ送信方法は、
端末がＰＤＣＣＨおよび／またはＰＤＳＣＨによって使用されるダウンリンクビームに従って、ＰＵＣＣＨ送信中に使用されるアップリンクビームを決定すると決定するステップと、
端末が前記決定されたアップリンクビームにより、前記ＰＵＣＣＨ送信を実行すると決定するステップとを有する。
【００１７】
１つの可能な実施において、前記ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨである。
【００１８】
１つの可能な実施において、端末がＰＤＣＣＨおよび／またはＰＤＳＣＨによって使用されるダウンリンクビームに従って、ＰＵＣＣＨ送信中に使用されるアップリンクビームを決定すると決定し、前記決定されたアップリンクビームによって前記ＰＵＣＣＨ送信を実行する場合、
端末が受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定し、または、
端末が受信されたＰＤＣＣＨおよび／またはＰＤＳＣＨに対応するダウンリンクＢＰＬに従って対応するアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定すると決定し、端末が前記ＱＣＬ関係に従ってＰＵＣＣＨ送信を実行すると決定し、または、
端末が受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定すると決定し、端末が前記ＰＵＣＣＨのＤＭＲＳポートと第１の基準信号のリソース上のポートとの間のＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定すると決定し、端末が前記アップリンクビームインデックスに従って、対応するアップリンクビームＰＵＣＣＨ送信を実行すると決定する。
【００１９】
１つの可能な実施において、前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有する。
【００２０】
１つの可能な実施において、端末がＰＤＣＣＨおよび／またはＰＤＳＣＨによって使用されるダウンリンクビームに従って、ＰＵＣＣＨ送信中に使用されるアップリンクビームを決定すると決定する場合、
端末が、事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定すると決定する。
【００２１】
１つの可能な実施において、端末がＰＤＣＣＨおよび／またはＰＤＳＣＨによって使用されるダウンリンクビームに従って、ＰＵＣＣＨ送信中に使用されるアップリンクビームを決定すると決定する場合、
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【００２２】
１つの可能な実施において、端末がＰＤＣＣＨおよび／またはＰＤＳＣＨによって使用されるダウンリンクビームに従って、ＰＵＣＣＨ送信中に使用されるアップリンクビームを決定すると決定する場合、
複数のＰＤＣＣＨおよび／またはＰＤＳＣＨが受信され、前記複数のＰＤＣＣＨおよび／またはＰＤＳＣＨによって使用されるビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【００２３】
１つの可能な実施において、端末がＰＤＣＣＨおよび／またはＰＤＳＣＨによって使用されるビームにより、ＰＵＣＣＨ送信中に使用されるアップリンクビームを決定すると決定する場合、
複数のダウンリンクビームと複数のアップリンクビームが複数のグループに分割され、各グループのダウンリンクビームと同じグループのアップリンクビームが対応関係を有する場合、
方式１：受信された第１のＰＤＣＣＨおよび／またはＰＤＳＣＨによって使用されるダウンリンクビーム−ｘに従って、第１のアップリンクビームを決定し、前記第１のアップリンクビームを使用して前記第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用して前記第２のＰＤＣＣＨおよび／またはＰＤＳＣＨに関連するＡＣＫ／ＮＡＣＫを運ぶＰＵＣＣＨを送信し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運び、
１つの可能な実施において、端末がＰＤＣＣＨおよび／またはＰＤＳＣＨによって使用されるビームにより、ＰＵＣＣＨ送信中に使用されるアップリンクビームを決定すると決定する場合、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、前記第１のグループに対応する第１のアップリンクメインビームを使用して前記第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して前記第２のＰＤＣＣＨおよび／またはＰＤＳＣＨに関連するＡＣＫ／ＮＡＣＫを運ぶＰＵＣＣＨを送信する。
【００２４】
１つの可能な実施において、ＰＵＣＣＨ送信中に使用されるアップリンクビームとして前記複数のアップリンクビームから１つのアップリンクビームを選択する場合、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記少なくとも１つのアップリンクビームに前記アップリンクメインビームが含まれていない場合、ＰＵＣＣＨ送信に使用されるアップリンクビームとして前記少なくとも１つのビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記少なくとも１つのアップリンクビームに前記メインセルに対応するアップリンクビームが存在しない場合、補助セルに対応するアップリンクビームをＰＵＣＣＨ送信中に使用されるアップリンクビームとする。
【００２５】
１つの可能な実施において、前記複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択する。
【００２６】
第３の態様では、本発明の実施形態に係るユーザー機器は、
ＰＤＣＣＨおよび／またはＰＤＳＣＨによって使用されるダウンリンクビームに従って、ＰＵＣＣＨ送信中に使用されるアップリンクビームを決定するように構成された決定ユニットと、
前記決定されたアップリンクビームにより、前記ＰＵＣＣＨ送信を実行するように構成された送信ユニットとを備える。
【００２７】
１つの可能な実施において、前記ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨである。
【００２８】
１つの可能な実施において、前記決定ユニットは、受信されたＰＤＣＣＨおよび／またはＰＤＳＣＨに対応するダウンリンクビームペアリンケージ（ＢＰＬ）に従って、対応するアップリンクＢＰＬ前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定し、前記決定ユニットは、前記アップリンクＢＰＬに対応するアップリンクビームにより、ＰＵＣＣＨ送信を実行し、または、前記決定ユニットは、前記アップリンクＢＰＬに従って前記ＰＵＣＣＨのＤＭＲＳポートと第１の基準信号のリソース上のポートとの間のＱＣＬ関係を決定し、前記送信ユニットは、前記ＱＣＬ関係に従ってＰＵＣＣＨ送信を実行するように構成され、または、
前記決定ユニットは、受信されたＰＤＣＣＨおよび／またはＰＤＳＣＨに対応するダウンリンクＢＰＬに従って対応するアップリンクビームインデックスを決定し、前記送信ユニットは、前記アップリンクビームインデックスに従って、対応するアップリンクビームＰＵＣＣＨ送信を実行し、または、
前記決定ユニットは、受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定し、前記送信ユニットは、前記ＱＣＬ関係に従ってＰＵＣＣＨ送信を実行し、または、
前記決定ユニットは、受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定し、前記送信ユニットは、前記アップリンクビームインデックスに従って、対応するアップリンクビームＰＵＣＣＨ送信を実行し、または、
前記決定ユニットは、受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定し、前記送信ユニットは、前記ＰＵＣＣＨのＤＭＲＳポートと第１の基準信号のリソース上のポートとの間のＱＣＬ関係に従って、ＰＵＣＣＨ送信を実行し、または、
前記決定ユニットは、受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定し、前記送信ユニットは、前記アップリンクＢＰＬに対応するアップリンクビームにより、ＰＵＣＣＨ送信を実行し、または、前記決定ユニットは、前記アップリンクＢＰＬに従って前記ＰＵＣＣＨのＤＭＲＳポートと第１の基準信号のリソース上のポートとの間のＱＣＬ関係を決定し、前記送信ユニットは、前記ＱＣＬ関係に従ってＰＵＣＣＨ送信を実行し、または、
前記決定ユニットは、受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定し、前記送信ユニットは、前記アップリンクビームインデックスに従って、対応するアップリンクビームＰＵＣＣＨ送信を実行する。
【００２９】
１つの可能な実施において、前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有する。
【００３０】
１つの可能な実施において、前記決定ユニットは、
事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定する。
【００３１】
１つの可能な実施において、前記決定ユニットは、
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
前記送信ユニットは、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【００３２】
１つの可能な実施において、前記決定ユニットは、
複数のＰＤＣＣＨおよび／またはＰＤＳＣＨが受信され、前記複数のＰＤＣＣＨおよび／またはＰＤＳＣＨによって使用されるビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
前記送信ユニットは、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【００３３】
１つの可能な実施において、前記決定ユニットは、
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信された第１のＰＤＣＣＨおよび／またはＰＤＳＣＨによって使用されるダウンリンクビーム−ｘに従って、第１のアップリンクビームを決定し、前記第１のアップリンクビームを使用して前記第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用して前記第２のＰＤＣＣＨおよび／またはＰＤＳＣＨに関連するＡＣＫ／ＮＡＣＫを運ぶＰＵＣＣＨを送信すると決定し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運び、
１つの可能な実施において、前記決定ユニットは、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、前記第１のグループに対応する第１のアップリンクメインビームを使用して前記第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して前記第２のＰＤＣＣＨおよび／またはＰＤＳＣＨに関連するＡＣＫ／ＮＡＣＫを運ぶＰＵＣＣＨを送信すると決定する。
【００３４】
１つの可能な実施において、前記決定ユニットは、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記少なくとも１つのアップリンクビームに前記アップリンクメインビームが含まれていない場合、ＰＵＣＣＨ送信に使用されるアップリンクビームとして前記少なくとも１つのビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記少なくとも１つのアップリンクビームに前記メインセルに対応するアップリンクビームが存在しない場合、補助セルに対応するアップリンクビームをＰＵＣＣＨ送信中に使用されるアップリンクビームとする。
【００３５】
１つの可能な実施において、前記決定ユニットは、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択する。
【００３６】
第４の態様では、本発明の実施形態に係る物理アップリンク制御チャネル送信装置は、
端末がＰＤＣＣＨおよび／またはＰＤＳＣＨによって使用されるダウンリンクビームに従って、ＰＵＣＣＨ送信中に使用されるアップリンクビームを決定すると決定し、および、端末が前記決定されたアップリンクビームにより、前記ＰＵＣＣＨ送信を実行すると決定するように構成された決定ユニットを備える。
【００３７】
１つの可能な実施において、前記ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨである。
【００３８】
１つの可能な実施において、前記決定ユニットは、
端末が受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定し、または、
端末が受信されたＰＤＣＣＨおよび／またはＰＤＳＣＨに対応するダウンリンクＢＰＬに従って対応するアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定すると決定し、端末が前記ＱＣＬ関係に従ってＰＵＣＣＨ送信を実行すると決定し、または、
端末が受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定すると決定し、端末が前記ＰＵＣＣＨのＤＭＲＳポートと第１の基準信号のリソース上のポートとの間のＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定すると決定し、端末が前記アップリンクビームインデックスに従って、対応するアップリンクビームＰＵＣＣＨ送信を実行すると決定する。
【００３９】
１つの可能な実施において、前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有する。
【００４０】
１つの可能な実施において、前記決定ユニットは、
端末が、事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定すると決定する。
【００４１】
１つの可能な実施において、前記決定ユニットは、
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【００４２】
１つの可能な実施において、前記決定ユニットは、
複数のＰＤＣＣＨおよび／またはＰＤＳＣＨが受信され、前記複数のＰＤＣＣＨおよび／またはＰＤＳＣＨによって使用されるビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【００４３】
１つの可能な実施において、前記決定ユニットは、
複数のダウンリンクビームと複数のアップリンクビームが複数のグループに分割され、各グループのダウンリンクビームと同じグループのアップリンクビームが対応関係を有する場合、
方式１：受信された第１のＰＤＣＣＨおよび／またはＰＤＳＣＨによって使用されるダウンリンクビーム−ｘに従って、第１のアップリンクビームを決定し、前記第１のアップリンクビームを使用して前記第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用して前記第２のＰＤＣＣＨおよび／またはＰＤＳＣＨに関連するＡＣＫ／ＮＡＣＫを運ぶＰＵＣＣＨを送信し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運び、
１つの可能な実施において、前記決定ユニットは、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、前記第１のグループに対応する第１のアップリンクメインビームを使用して前記第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して前記第２のＰＤＣＣＨおよび／またはＰＤＳＣＨに関連するＡＣＫ／ＮＡＣＫを運ぶＰＵＣＣＨを送信する。
【００４４】
１つの可能な実施において、前記決定ユニットは、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記少なくとも１つのアップリンクビームに前記アップリンクメインビームが含まれていない場合、ＰＵＣＣＨ送信に使用されるアップリンクビームとして前記少なくとも１つのビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記少なくとも１つのアップリンクビームに前記メインセルに対応するアップリンクビームが存在しない場合、補助セルに対応するアップリンクビームをＰＵＣＣＨ送信中に使用されるアップリンクビームとする。
【００４５】
１つの可能な実施において、前記決定ユニットは、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択する。
【００４６】
第５の態様では、本発明の実施形態に係る別のユーザー機器は、プロセッサと、プロセッサに接続されたメモリと、送受信機とを備え、
前記プロセッサは、メモリ内のプログラムを読み取り、次のプロセスを実行するように構成され、
ＰＤＣＣＨおよび／またはＰＤＳＣＨによって使用されるダウンリンクビームに従って、ＰＵＣＣＨ送信中に使用されるアップリンクビームを決定し、
送受信機を制御して前記決定されたアップリンクビームにより、前記ＰＵＣＣＨ送信を実行する。
【００４７】
１つの可能な実施において、前記ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨである。
【００４８】
１つの可能な実施において、受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定し、送受信機を制御して前記アップリンクＢＰＬに対応するアップリンクビームにより、ＰＵＣＣＨ送信を実行し、または、前記アップリンクＢＰＬに従って前記ＰＵＣＣＨのＤＭＲＳポートと第１の基準信号のリソース上のポートとの間のＱＣＬ関係を決定し、送受信機を制御して前記ＱＣＬ関係に従ってＰＵＣＣＨ送信を実行し、または、
受信されたＰＤＣＣＨおよび／またはＰＤＳＣＨに対応するダウンリンクＢＰＬに従って対応するアップリンクビームインデックスを決定し、送受信機を制御して前記アップリンクビームインデックスに従って、対応するアップリンクビームＰＵＣＣＨ送信を実行し、または、
受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定し、送受信機を制御して前記ＱＣＬ関係に従ってＰＵＣＣＨ送信を実行し、または、
受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定し、送受信機を制御して前記アップリンクビームインデックスに従って、対応するアップリンクビームＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定し、送受信機を制御して前記ＰＵＣＣＨのＤＭＲＳポートと第１の基準信号のリソース上のポートとの間のＱＣＬ関係に従って、ＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定し、送受信機を制御して前記アップリンクＢＰＬに対応するアップリンクビームにより、ＰＵＣＣＨ送信を実行し、または、前記アップリンクＢＰＬに従って前記ＰＵＣＣＨのＤＭＲＳポートと第１の基準信号のリソース上のポートとの間のＱＣＬ関係を決定し、送受信機を制御して前記ＱＣＬ関係に従ってＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定し、送受信機を制御して前記アップリンクビームインデックスに従って、対応するアップリンクビームＰＵＣＣＨ送信を実行する。
【００４９】
１つの可能な実施において、前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有する。
【００５０】
１つの可能な実施において、ＰＤＣＣＨおよび／またはＰＤＳＣＨによって使用されるダウンリンクビームに従って、ＰＵＣＣＨ送信中に使用されるアップリンクビームを決定する場合、
事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定する。
【００５１】
１つの可能な実施において、ＰＤＣＣＨおよび／またはＰＤＳＣＨによって使用されるダウンリンクビームに従って、ＰＵＣＣＨ送信中に使用されるアップリンクビームを決定する場合、
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
送受信機を制御して前記決定されたアップリンクビームにより、前記ＰＵＣＣＨ送信を実行する場合、
送受信機を制御して決定されたアップリンクビームにより、同じＰＵＣＣＨ上で前記複数のＰＤＣＣＨおよび／またはＰＤＳＣＨに関連するＡＣＫ／ＮＡＣＫを送信する。
【００５２】
１つの可能な実施において、ＰＤＣＣＨおよび／またはＰＤＳＣＨによって使用されるダウンリンクビームに従って、ＰＵＣＣＨ送信中に使用されるアップリンクビームを決定する場合、
複数のＰＤＣＣＨおよび／またはＰＤＳＣＨが受信され、前記複数のＰＤＣＣＨおよび／またはＰＤＳＣＨによって使用されるビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、送受信機を制御して選択された１つのダウンリンクビームに従って、ＰＵＣＣＨ送信中に使用されるアップリンクビームを決定し、
送受信機を制御して前記決定されたアップリンクビームにより、前記ＰＵＣＣＨ送信を実行する場合、
送受信機を制御して決定されたアップリンクビームにより、同じＰＵＣＣＨ上で前記複数のＰＤＣＣＨおよび／またはＰＤＳＣＨに関連するＡＣＫ／ＮＡＣＫを送信する。
【００５３】
１つの可能な実施において、ＰＤＣＣＨおよび／またはＰＤＳＣＨによって使用されるビームにより、ＰＵＣＣＨ送信中に使用されるアップリンクビームを決定する場合、
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信された第１のＰＤＣＣＨおよび／またはＰＤＳＣＨによって使用されるダウンリンクビーム−ｘに従って、第１のアップリンクビームを決定し、前記第１のアップリンクビームを使用して前記第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用して前記第２のＰＤＣＣＨおよび／またはＰＤＳＣＨに関連するＡＣＫ／ＮＡＣＫを運ぶＰＵＣＣＨを送信し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運び、
１つの可能な実施において、ＰＤＣＣＨおよび／またはＰＤＳＣＨによって使用されるビームにより、ＰＵＣＣＨ送信中に使用されるアップリンクビームを決定する場合、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、前記第１のグループに対応する第１のアップリンクメインビームを使用して前記第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して前記第２のＰＤＣＣＨおよび／またはＰＤＳＣＨに関連するＡＣＫ／ＮＡＣＫを運ぶＰＵＣＣＨを送信する。
【００５４】
１つの可能な実施において、ＰＵＣＣＨ送信中に使用されるアップリンクビームとして前記複数のアップリンクビームから１つのアップリンクビームを選択する場合、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記少なくとも１つのアップリンクビームに前記アップリンクメインビームが含まれていない場合、ＰＵＣＣＨ送信に使用されるアップリンクビームとして前記少なくとも１つのビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記少なくとも１つのアップリンクビームに前記メインセルに対応するアップリンクビームが存在しない場合、補助セルに対応するアップリンクビームをＰＵＣＣＨ送信中に使用されるアップリンクビームとする。
【００５５】
１つの可能な実施において、前記複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択する。
【００５６】
第６の態様では、本発明の実施形態に係る別の物理アップリンク制御チャネル送信装置は、プロセッサと、プロセッサに接続されたメモリとを備え、
前記プロセッサは、メモリ内のプログラムを読み取り、次のプロセスを実行するように構成され、
端末がＰＤＣＣＨおよび／またはＰＤＳＣＨによって使用されるダウンリンクビームに従って、ＰＵＣＣＨ送信中に使用されるアップリンクビームを決定すると決定し、
端末が前記決定されたアップリンクビームにより、前記ＰＵＣＣＨ送信を実行すると決定する。
【００５７】
１つの可能な実施において、前記ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨである。
【００５８】
１つの可能な実施において、端末がＰＤＣＣＨおよび／またはＰＤＳＣＨによって使用されるダウンリンクビームに従って、ＰＵＣＣＨ送信中に使用されるアップリンクビームを決定すると決定し、前記決定されたアップリンクビームによって前記ＰＵＣＣＨ送信を実行する場合、
端末が受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定し、または、
端末が受信されたＰＤＣＣＨおよび／またはＰＤＳＣＨに対応するダウンリンクＢＰＬに従って対応するアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定すると決定し、端末が前記ＱＣＬ関係に従ってＰＵＣＣＨ送信を実行すると決定し、または、
端末が受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定すると決定し、端末が前記ＰＵＣＣＨのＤＭＲＳポートと第１の基準信号のリソース上のポートとの間のＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定すると決定し、端末が前記アップリンクビームインデックスに従って、対応するアップリンクビームＰＵＣＣＨ送信を実行すると決定する。
【００５９】
１つの可能な実施において、前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有する。
【００６０】
１つの可能な実施において、端末がＰＤＣＣＨおよび／またはＰＤＳＣＨによって使用されるダウンリンクビームに従って、ＰＵＣＣＨ送信中に使用されるアップリンクビームを決定すると決定する場合、
端末が、事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定すると決定する。
【００６１】
１つの可能な実施において、端末がＰＤＣＣＨおよび／またはＰＤＳＣＨによって使用されるダウンリンクビームに従って、ＰＵＣＣＨ送信中に使用されるアップリンクビームを決定すると決定する場合、
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【００６２】
１つの可能な実施において、端末がＰＤＣＣＨおよび／またはＰＤＳＣＨによって使用されるダウンリンクビームに従って、ＰＵＣＣＨ送信中に使用されるアップリンクビームを決定すると決定する場合、
複数のＰＤＣＣＨおよび／またはＰＤＳＣＨが受信され、前記複数のＰＤＣＣＨおよび／またはＰＤＳＣＨによって使用されるビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【００６３】
１つの可能な実施において、端末がＰＤＣＣＨおよび／またはＰＤＳＣＨによって使用されるビームにより、ＰＵＣＣＨ送信中に使用されるアップリンクビームを決定すると決定する場合、
複数のダウンリンクビームと複数のアップリンクビームが複数のグループに分割され、各グループのダウンリンクビームと同じグループのアップリンクビームが対応関係を有する場合、
方式１：受信された第１のＰＤＣＣＨおよび／またはＰＤＳＣＨによって使用されるダウンリンクビーム−ｘに従って、第１のアップリンクビームを決定し、前記第１のアップリンクビームを使用して前記第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用して前記第２のＰＤＣＣＨおよび／またはＰＤＳＣＨに関連するＡＣＫ／ＮＡＣＫを運ぶＰＵＣＣＨを送信し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運び、
１つの可能な実施において、端末がＰＤＣＣＨおよび／またはＰＤＳＣＨによって使用されるビームにより、ＰＵＣＣＨ送信中に使用されるアップリンクビームを決定すると決定する場合、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、前記第１のグループに対応する第１のアップリンクメインビームを使用して前記第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して前記第２のＰＤＣＣＨおよび／またはＰＤＳＣＨに関連するＡＣＫ／ＮＡＣＫを運ぶＰＵＣＣＨを送信する。
【００６４】
１つの可能な実施において、ＰＵＣＣＨ送信中に使用されるアップリンクビームとして前記複数のアップリンクビームから１つのアップリンクビームを選択する場合、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記少なくとも１つのアップリンクビームに前記アップリンクメインビームが含まれていない場合、ＰＵＣＣＨ送信に使用されるアップリンクビームとして前記少なくとも１つのビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記少なくとも１つのアップリンクビームに前記メインセルに対応するアップリンクビームが存在しない場合、補助セルに対応するアップリンクビームをＰＵＣＣＨ送信中に使用されるアップリンクビームとする。
【００６５】
１つの可能な実施において、前記複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択する。
【発明の効果】
【００６６】
上述の技術的解決策のうちの１つ以上は、以下の技術的効果または利点を有する。
【００６７】
本発明の実施形態では、５Ｇ ＮＲにおけるＰＵＣＣＨ送信中に使用されるアップリンクビームを決定する解決策が提供され、これは、新しい無線通信システムにおけるＰＵＣＣＨ送信シナリオをサポートして、正しいＰＵＣＣＨ送信を保証することができる。
【００６８】
さらに、本発明の実施形態では、ＰＤＣＣＨおよび／またはＰＤＳＣＨによって使用されるダウンリンクビームに従って、ＰＵＣＣＨ送信中に使用されるアップリンクビームを決定するため、本発明の実施形態に係るＰＵＣＣＨ送信解決策は、実際の需要に応じて、ＰＤＣＣＨおよび／またはＰＤＳＣＨにより必要なアップリンクビームを調整することで、追加の通知シグナリングを増やすことなく正しいＰＵＣＣＨ送信を実施できる。
【００６９】
本発明に係る実施例や従来の技術解決策をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図面の簡単な説明】
【００７０】
【図１】本発明の実施形態に係るＰＵＣＣＨ送信方法のフローチャートである。
【図２】本発明の実施形態に係る別のＰＵＣＣＨ送信方法のフローチャートである。
【図３】本発明の実施形態に係るユーザー機器の構造ブロック図である。
【図４】本発明の実施形態に係るユーザー機器の構造概略図である。
【図５】本発明の実施形態に係る装置の構造概略図である。
【発明を実施するための形態】
【００７１】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。
【００７２】
創造的な仕事なしに本出願の実施形態に基づいて当業者によって得られる他のすべての実施形態は、本出願の保護範囲内にあるものとする。本願の実施形態および実施形態における特徴は、矛盾が存在しないという条件下で任意に組み合わせることができる。さらに、フロー図には論理順序が示されているが、示されているまたは説明されているステップは、いくつかの条件下で本明細書に示されている順序とは異なる順序で実行することができる。
【００７３】
さらに、本明細書で使用される「および／または」項目は、関連オブジェクトを記述するための関連関係のみを表し、３つの関係を指す場合がある。例えば、Ａおよび／またはＢはＡが単独で存在する状況を表すことができる、ＡおよびＢ同時に存在し、Ｂは単独で存在する。加えて、特に明記しない限り、本明細書で使用される文字「／」は、一般に、前および後ろの関連オブジェクトが「または」関係にあることを示す。
【００７４】
最初に、本発明の適用シナリオを紹介する。
【００７５】
ＰＵＣＣＨは、ＡＣＫｎｏｗｌｅｄｇｅｍｅｎｔ／Ｎｏｎ−ａｃｋｎｏｗｌｅｄｇｅｍｅｎｔ（ＡＣＫ／ＮＡＣＫ）、チャネル状態情報（ＣＳＩ，Ｃｈａｎｎｅｌ Ｓｔａｔｅ Ｉｎｆｏｒｍａｔｉｏｎ）、スケジューリング要求（ＳＲ，Ｓｃｈｅｄｕｌｉｎｇ Ｒｅｑｕｅｓｔ）または他の情報を含むアップリンク制御情報（ＵＣＩ，Ｕｐｌｉｎｋ Ｃｏｎｔｒｏｌ Ｉｎｆｏｒｍａｔｉｏn）を送信するために使用される。
【００７６】
５Ｇ ＮＲシステムでは、異なるＴＲＰは送信のために異なるビームを使用する。１つのＴＲＰが、１つの送信ビームを使用して、ＰＤＣＣＨやＰＤＳＣＨや、ダウンリンク基準信号（チャネル状態情報基準信号（ＣＳＩ−ＲＳ，ｃｈａｎｎｅｌ ｓｔａｔｅ ｉｎｆｏｒｍａｔｉｏｎ ｒｅｆｅｒｅｎｃｅ ｓｉｇｎａｌ）などのダウンリンク送信を実行する場合、ダウンリンク送信の受信のため、異なる受信ビームが端末で使用される。つまり、ビームペアリンケージ（ＢＰＬ）と呼ばれる、１つの送信ビームと１つの受信ビームの間にペアリンクがある。同様に、アップリンク送信についても、対応するＢＰＬがある。ＢＰＬはビームトレーニングによって取得できる。一般に、ネットワーク側は、端末がＰＤＣＣＨを検出するために、１つ以上のＰＤＣＣＨに対応するダウンリンクビームを事前に設定してもよい。ビームは、チャネルの復調基準信号（ＤＭＲＳ，ｄｅｍｏｄｕｌａｔｉｏｎ ｒｅｆｅｒｅｎｃｅ ｓｉｇｎａｌ）ポートとさまざまなＣＳＩ−ＲＳ構成（ポート、リソースなど）の間に準コロケーション（ＱＣＬ，Ｑｕａｓｉ−Ｃｏ−Ｌｏｃａｔｉｏｎ）関係があることを端末に通知することで実現できる。そのため、使用されたビームを端末に通知する目的は、特定のＣＳＩ−ＲＳ構成を通知することで達成できる。ビームはまた、ＢＰＬによって具体化されてもよく、この時点で、端末に複数のＢＰＬが事前に設定されてもよい。端末にＢＰＬの１つのインデックスが通知されると、端末は通知されたＢＰＬインデックスに従って対応するＢＰＬを決定し、ＢＰＬで定義された送信および受信ビームペアに従って使用するビームを決定する。上記の２つの具体化モードでは、ビームを定義する必要はないが、ビームの意味は他の定義モードによって暗黙的に具体化される。もちろん、ビームはビームインデックスによって直接具体化することもでき、このとき、端末に対して複数のビームが事前設定または事前定義され、端末は通知されたビームインデックス情報に従って使用するビームを決定することができる。上記のビームの定義は、アップリンクとダウンリンクの両方に適用可能であり、ビームの定義は、アップリンクとダウンリンクについて同じ方法または異なる方法で採用することができる。たとえば、ＢＰＬ、ＱＣＬ、またはビームインデックスにより、アップリンクとダウンリンク両方の定義で使用されるか、ＢＰＬまたはＱＣＬがダウンリンクの定義で使用され、ビームインデックスがアップリンクの定義で使用されるなども可能である。アップリンクＢＰＬはアップリンクチャネル送信のビームペアであり、ダウンリンクＢＰＬはアップリンクチャネル送信のビームペアである。アップリンクビームは、端末側でのアップリンクチャネル送信用のビームであり、基地局側でアップリンクチャネルを受信するためのビームであり、ダウンリンクビームは、端末側でダウンリンクチャネルを受信するためのビームであり、基地局側でダウンリンクチャネルを送信する。
【００７７】
以下の実施形態は、同じ発明思想によるものであり、いずれかの実施形態の内容を理解または解釈する場合、他の実施形態に記録された内容を参考することができることに留意されたい。
【００７８】
上記の技術的解決策をよりよく理解するために、上記の技術的解決策を、明細書の図面および特定の実施形態と組み合わせて以下に詳細に説明する。
【００７９】
第１の実施形態
図１を参考すると、本発明の実施形態は、送信間でＰＵＣＣＨ送信を実行するために使用され得るＰＵＣＣＨ送信方法を提供し、例えば、ユーザー機器（ＵＥ）は基地局へのＰＵＣＣＨ送信を実行し得る。ここで、ユーザー機器は、パーソナルコンピュータ（ＰＣ）、ノートブック、携帯電話、モノのインターネット送信、ウェアラブル送信などであり得る。ユーザー機器の特定のタイプは、本発明の実施形態によって限定されない。基地局は、例えばＴＲＰ、従来の基地局、中継ノードなどの任意の受信ノードであり得る。
【００８０】
本発明の実施形態におけるＰＵＣＣＨ送信方法のフローは、以下の通りであり得る。
【００８１】
ステップ１０１：ＰＤＣＣＨおよび／またはＰＤＳＣＨによって使用されるダウンリンクビームに従って、ＰＵＣＣＨ送信中に使用されるアップリンクビームを決定する。
【００８２】
ステップ１０２：決定されたアップリンクビームによりＰＵＣＣＨ送信を実行する。
【００８３】
本発明の一実施形態では、アップリンクビームは、端末の送信プロセスおよび基地局の受信プロセスにおけるビームであり、ビームまたはビームペアとして実施されてもよい。そして、ダウンリンクビームは、基地局の送信プロセスおよび端末の受信プロセスにおけるビームであり、ビームまたはビームペアとして具体化されてもよい。
【００８４】
本発明の一実施形態では、アップリンクビームまたはダウンリンクビームは、具体的には以下のように具体化される。
【００８５】
第１に、ビームペアリンケージ（ＢＰＬ）：基地局から端末へのＢＰＬおよび端末から基地局へのＢＰＬはビームトレーニングによって取得でき、アップリンクチャネルとダウンリンクチャネル間の相反性が存在する場合、端末から基地局へのＢＰＬは基地からのＢＰＬに従って取得できる。すなわち、アップリンク送信に使用されるビームは、ダウンリンク送信に使用されるビームに従って決定されてもよい。
【００８６】
または、第２に、ビームインデックス：測定／トレーニングを介して複数の設定された第１の基準信号リソースで得られた異なる送信および受信の組み合わせ（例えば、使用される、プリコーディングマトリックスとの組み合わせ）の結果が記録され、異なるビームとして直接定義され、ビームインデックスによって表され得る。それぞれアップリンクビームとダウンリンクビームとして定義される。もちろん、アップリンクチャネルとダウンリンクチャネルの相反性の場合、対応するアップリンクビームは、ダウンリンクビームに基づく相反性を通じて取得されてもよい。
【００８７】
または、第３に、ＰＵＣＣＨの復調基準信号（ＤＭＲＳ）ポートと１つの第１基準信号リソース上のすべてのポートまたは指定ポートとの間の準コロケーション（ＱＣＬ）関係：第１基準信号はＣＳＩ-ＲＳおよびＳＲＳ信号のうちの１つ以上である。すなわち、複数の第１の基準信号のリソースまたはリソースとポートの組み合わせが事前に設定されている。異なるリソースまたは異なるリソースとポートが組み合わせされた条件下で、測定／トレーニングによって得られた異なる送信と受信の組み合わせの結果は、対応するリソースまたは対応するリソースとポートの送信解決策として記録される。端末に１つの第１基準信号リソースまたはリソースとポートの組み合わせが通知されると、送信チャネルのＤＭＲＳと第１基準信号リソースのポートにＱＣＬ関係があると通知されることに相当する。つまり送信（受信または送信）は、リソースまたは対応するリソースとポートで送信解決策を使用することで実現する必要がある。つまり、記録された対応する受信または送信プリコーディングマトリックスを使用して送信する。もちろん、アップリンクとダウンリンクの相反性の場合、アップリンクＱＣＬ関係もダウンリンクＱＣＬ関係を通じて取得されてもよい。
【００８８】
可能な実施モードの１つでは、ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
ＰＤＳＣＨは、ＡＣＫ／ＮＡＣＫフィードバックがＰＵＣＣＨ上で実行される必要があるＰＤＳＣＨである。
【００８９】
ここで、マルチキャストＰＤＣＣＨと、ＰＵＣＣＨが送信される時間領域リソース位置との間に対応関係があり、すなわち、マルチキャストＰＤＣＣＨは、当該ＰＵＣＣＨが送信されるタイムスロットまたは所定の対応するタイムスロットで送信される。
【００９０】
可能な実施モードの１つでは、ＰＤＣＣＨおよび／またはＰＤＳＣＨによって使用されるダウンリンクビームに従って、ＰＵＣＣＨ送信中に使用されるアップリンクビームを決定し、決定されたアップリンクビームを使用してＰＵＣＣＨを送信する場合、
受信されたＰＤＣＣＨおよび／またはＰＤＳＣＨに対応するダウンリンクビームペアリンケージ（ＢＰＬ）に従って、対応するアップリンクＢＰＬを決定し、アップリンクＢＰＬに従って、ＰＵＣＣＨ送信中に使用されるアップリンクビームを決定し、ＰＵＣＣＨのＤＭＲＳポートと第１の基準信号のリソース上のポートとの間のＱＣＬ関係を決定する。アップリンクＢＰＬに対応するアップリンクビームを使用してＰＵＣＣＨ送信を実行し、または、アップリンクＢＰＬに従って、ＰＵＣＣＨのＤＭＲＳポートと第１の基準信号のリソース上のポートとの間のＱＣＬ関係を決定し、ＱＣＬ関係に従って、ＰＵＣＣＨ送信を実行する。または、
受信されたＰＤＣＣＨおよび／またはＰＤＳＣＨに対応するダウンリンクＢＰＬに従って対応するアップリンクビームインデックスを決定し、アップリンクビームインデックスに対応するアップリンクビームを使用してＰＵＣＣＨ送信を実行する。または、
受信されたＰＤＣＣＨおよび／またはＰＤＳＣＨに対応するダウンリンクＢＰＬに従ってＰＵＣＣＨのＤＭＲＳポートと第１の基準信号のリソース上のポートとの間のＱＣＬ関係を決定する。ＱＣＬ関係に従って、ＰＵＣＣＨ送信を実行する。または、
受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定し、アップリンクビームインデックスに対応するアップリンクビームを使用してＰＵＣＣＨ送信を実行する。または、
受信されたＰＤＣＣＨおよび／またはＰＤＳＣＨのＤＭＲＳポートと第２の基準信号のリソース上のポートとの間のＱＣＬ関係に従って、ＰＵＣＣＨのＤＭＲＳポートと第１の基準信号のリソース上のポートとの間のＱＣＬ関係を決定する。ＰＵＣＣＨのＤＭＲＳポートと第１の基準信号のリソース上のポートとの間のＱＣＬ関係に従って、ＰＵＣＣＨ送信を実行する。または、
受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、アップリンクＢＰＬに従って、ＰＵＣＣＨ送信中に使用されるアップリンクビームを決定し、ＰＵＣＣＨのＤＭＲＳポートと第１の基準信号のリソース上のポートとの間のＱＣＬ関係を決定する。アップリンクＢＰＬに対応するアップリンクビームを使用してＰＵＣＣＨ送信を実行し、または、アップリンクＢＰＬに従って、ＰＵＣＣＨのＤＭＲＳポートと第１の基準信号のリソース上のポートとの間のＱＣＬ関係を決定し、ＱＣＬ関係に従って、ＰＵＣＣＨ送信を実行する。または、
受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定し、アップリンクビームインデックスに対応するアップリンクビームを使用してＰＵＣＣＨ送信を実行する。
【００９１】
可能な実施モードの１つでは、ＰＤＣＣＨおよび／またはＰＤＳＣＨのＤＭＲＳポートと第２の基準信号のリソース上のポートとの間のＱＣＬ関係は、具体的に、ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有する。
または、ＰＵＣＣＨのＤＭＲＳポートと第１の基準信号のリソース上のポートとの間のＱＣＬ関係は、具体的に、ＰＵＣＣＨのＤＭＲＳポートと、１つの設定された第１の基準信号のリソース上のすべてのポートまたは１つの指定されたポートとの間にＱＣＬ関係を有する。
【００９２】
上述の第２の参考信号は、ＣＳＩ−ＲＳであってもよい。
【００９３】
可能な実施モードの１つでは、ＰＤＣＣＨおよび／またはＰＤＳＣＨによって使用されるダウンリンクビームに従って、ＰＵＣＣＨ送信中に使用されるアップリンクビームを決定する場合、
事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定する。
【００９４】
可能な実施モードの１つでは、ＰＤＣＣＨおよび／またはＰＤＳＣＨによって使用されるダウンリンクビームに従って、ＰＵＣＣＨ送信中に使用されるアップリンクビームを決定する場合、
複数のＰＤＣＣＨおよび／またはＰＤＳＣＨが受信され、複数のＰＤＣＣＨおよび／またはＰＤＳＣＨによって使用されるダウンリンクビーム異なり、複数のＰＤＣＣＨおよび／またはＰＤＳＣＨに関連するＡＣＫ／ＮＡＣＫが同じタイミングでフィードバックされる場合、複数のダウンリンクビームに対応する複数のアップリンクビームを決定し、ＰＵＣＣＨ送信中に使用されるアップリンクビームとして、複数のアップリンクビームから１つのアップリンクビームを選択し、
決定されたアップリンクビームによりＰＵＣＣＨ送信を実行する場合、
決定されたアップリンクビームにより、同じＰＵＣＣＨにおいて複数のＰＤＣＣＨおよび／またはＰＤＳＣＨに関連するＡＣＫ／ＮＡＣＫを送信する。
【００９５】
本発明の実施形態では、ＰＤＣＣＨと関連するＡＣＫ／ＮＡＣＫは、具体的には以下を含む。ＰＤＣＣＨがリリースされるＳＰＳ（ｓｅｍｉ−ｐｅｒｓｉｓｔｅｎｔ ｓｃｈｅｄｕｌｅ）リソースを示すＰＤＣＣＨである場合、ＡＣＫ／ＮＡＣＫは当該ＰＤＣＣＨのＡＣＫ／ＮＡＣＫである。当該ＰＤＣＣＨが対応するＰＤＳＣＨを有する場合、ＡＣＫ／ＮＡＣＫは当該ＰＤＳＣＨのＡＣＫ／ＮＡＣＫである。上記のＡＣＫ／ＮＡＣＫが同時に送信されるということは、上記のＰＤＣＣＨによって示されるＨＡＲＱ−ＡＣＫフィードバックタイミングが同じであること、または上記のＰＤＣＣＨによって示されるＨＡＲＱ−ＡＣＫフィードバックタイミングおよび／または上記のＰＤＣＣＨで示される時間領域リソースの位置に基づいて決定された時間領域位置は同じであること、を指す。
【００９６】
可能な実施モードの１つでは、ＰＤＣＣＨおよび／またはＰＤＳＣＨによって使用されるダウンリンクビームに従って、ＰＵＣＣＨ送信中に使用されるアップリンクビームを決定する場合、
複数のＰＤＣＣＨおよび／またはＰＤＳＣＨが受信され、複数のＰＤＣＣＨおよび／またはＰＤＳＣＨによって使用されるビーム異なり、複数のＰＤＣＣＨおよび／またはＰＤＳＣＨに関連するＡＣＫ／ＮＡＣＫが同じタイミングでフィードバックされる場合、複数のダウンリンクビームから１つのダウンリンクビームを選択し、選択された１つのダウンリンクビームに従って、ＰＵＣＣＨ送信中に使用されるアップリンクビームを決定し、
決定されたアップリンクビームによりＰＵＣＣＨ送信を実行する場合、
決定されたアップリンクビームにより、同じＰＵＣＣＨにおいて複数のＰＤＣＣＨおよび／またはＰＤＳＣＨに関連するＡＣＫ／ＮＡＣＫを送信する。
【００９７】
可能な実施モードの１つでは、ＰＤＣＣＨおよび／またはＰＤＳＣＨによって使用されるビームにより、ＰＵＣＣＨ送信中に使用されるアップリンクビームを決定する場合、
複数のダウンリンクビームと複数のアップリンクビームが複数のグループに分割され、各グループのダウンリンクビームと同じグループのアップリンクビームが対応関係を有する場合、次の方式いずれかまたは次の方式の組み合わせを使用する：
方式１：受信された第１のＰＤＣＣＨおよび／またはＰＤＳＣＨによって使用されるダウンリンクビーム−ｘに従って、第１のアップリンクビームを決定し、第１のアップリンクビームを使用して第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用してＰＤＣＣＨおよび／またはＰＤＳＣＨに関連するＡＣＫ／ＮＡＣＫを運ぶＰＵＣＣＨを送信すると決定し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信される。
方式２：複数の同じグループの異なるダウンリンクビームを使用して送信されたＰＤＣＣＨおよび／またはＰＤＳＣＨが受信され、かつ、ＰＤＣＣＨおよび／またはＰＤＳＣＨに関連するＡＣＫ／ＮＡＣＫが同じタイミングでフィードバックされる場合、グループ内の複数のダウンリンクビームに対応する複数のアップリンクビームを決定し、ＰＵＣＣＨ送信中に使用されるアップリンクビームとして複数のアップリンクビームから１つのアップリンクビームを選択し，ＰＵＣＣＨはＰＤＣＣＨおよび／またはＰＤＳＣＨに関連するＡＣＫ／ＮＡＣＫを運ぶ。
方式３：複数の同じグループの異なるダウンリンクビームを使用して送信されたＰＤＣＣＨおよび／またはＰＤＳＣＨが受信され、かつ、ＰＤＣＣＨおよび／またはＰＤＳＣＨに関連するＡＣＫ／ＮＡＣＫが同じタイミングでフィードバックされる場合、複数のダウンリンクビームから１つのダウンリンクビームを選択し、選択された１つのダウンリンクビームに従って、ＰＵＣＣＨ送信中に使用されるアップリンクビームを決定し、ＰＵＣＣＨはＰＤＣＣＨおよび／またはＰＤＳＣＨに関連するＡＣＫ／ＮＡＣＫを運ぶ。
【００９８】
すなわち、方式２及び方式３では、各グループは独立して処理され、当該グループにおいて、ダウンリンクビームに従って１つのアップリンクビームが決定される。当該決定されたアップリンクビームは、ダウンリンクビームによって送信されるＰＤＣＣＨおよび／またはＰＤＳＣＨに関連する当該グループ内のＡＣＫ／ＮＡＣＫを運ぶＰＵＣＣＨの送信ビームとして決定される。
【００９９】
可能な実施モードの１つでは、ＰＤＣＣＨおよび／またはＰＤＳＣＨによって使用されるビームにより、ＰＵＣＣＨ送信中に使用されるアップリンクビームを決定する場合、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、第１のグループに対応する第１のアップリンクメインビームを使用して第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して第２のＰＤＣＣＨおよび／またはＰＤＳＣＨに関連するＡＣＫ／ＮＡＣＫを運ぶＰＵＣＣＨを送信すると決定する。
【０１００】
可能な実施モードの１つでは、ＰＵＣＣＨ送信中に使用されるアップリンクビームとして複数のアップリンクビームから１つのアップリンクビームを選択する場合、
アップリンクビームまたはセルの事前設定または事前合意された優先順位に従って、ＰＵＣＣＨ送信中に使用されるアップリンクビームとして複数のアップリンクビームから１つを選択する。たとえば、ビームまたはセルの特定の番号順が優先順位（昇順または降順）として採用される。または
複数のアップリンクビームに事前設定または事前合意されたアップリンクメインビームが含まれる場合、ＰＵＣＣＨ送信に使用されるアップリンクビームとしてアップリンクメインビームを決定する。および、少なくとも１つのアップリンクビームがアップリンクメインビームを含まない場合、ＰＵＣＣＨ送信に使用されるアップリンクビームとして少なくとも１つのビームのうちの指定番号が付けられた補助ビームを決定する。（例えば、番号が最小から最大へ、または、最大から最小へ）または、
複数のアップリンクビームに事前設定または事前合意されたメインセルに対応するアップリンクビームがある場合、メインセルに対応するアップリンクビームをＰＵＣＣＨ送信中に使用されるアップリンクビームとする。および、少なくとも１つのアップリンクビームにメインセルに対応するアップリンクビームがない場合、補助セルに対応するアップリンクビームをＰＵＣＣＨ送信中に使用されるアップリンクビームとする。複数の補助セルがある場合、特定の番号（たとえば、最小から最大へ、または最大から最小への番号付け）の補助セルに対応するアップリンクビームを選択する。
【０１０１】
ここで、選択がビームグループ内で実行される場合、この実施形態の定義はすべてこのグループに向けられる。
【０１０２】
可能な実施モードの１つでは、複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、たとえば、ビームまたはビームグループまたはセルの特定の順序が優先順位（昇順または降順）として採用される。または、
ダウンリンクメインビームを使用して送信されたＰＤＣＣＨおよび／またはＰＤＳＣＨが受信された場合、ダウンリンクメインビームに従ってＰＵＣＣＨ送信中に使用されるアップリンクビームを決定し、および／または、メインセルにおいてＰＤＣＣＨおよび／またはＰＤＳＣＨ送信が受信された場合、メインセルに対応するダウンリンクビームに従ってＰＵＣＣＨ送信中に使用されるアップリンクビームを決定し、および、ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビーム（例えば、番号が最小から最大へ、または、最大から最小へ）に従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、複数の補助セルがある場合、ＰＤＣＣＨおよび／またはＰＤＳＣＨ送信が受信された特定の番号の補助セルに対応するダウンリンクビーム（例えば、番号が最小から最大へ、または、最大から最小へ）に従って、ＰＵＣＣＨ送信中に使用されるアップリンクビームを決定し、ここで、ダウンリンクメインビーム、メインセルは事前設定または事前合意されたセルである。または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、ダウンリンクメインビームグループ内のいずれかのダウンリンクビームを使用して送信されたＰＤＣＣＨおよび／またはＰＤＳＣＨＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるアップリンクビームとしてのダウンリンク補助ビームグループに対応するアップリンク補助ビームを決定する。および、複数のダウンリンク補助ビームグループが存在する場合、ダウンリンク補助ビームグループの優先順位またはダウンリンク補助ビームグループの番号順位に従って、１つのダウンリンク補助ビームグループを選択する（例えば、番号が最小から最大へ、または、最大から最小へ）。
【０１０３】
ここで、選択がビームグループ内で実行される場合、この実施形態の定義はすべてこのグループに向けられる。
【０１０４】
ここで、１つのダウンリンクビームグループが複数のダウンリンクビームを含む場合、同じグループにおいて、１つのＡＣＫ／ＮＡＣＫのフィードバックタイミングは、グループ内の１つのダウンリンクビームを使用するＰＤＣＣＨおよび／またはＰＤＳＣＨのみに対応すると仮定される。または、上記優先順位またはメイン／補助ビームの定義方法を選択に再利用できる。たとえば、ダウンリンクビームグループ内のダウンリンクビーム優先順位に従って、ＰＵＣＣＨ送信中に使用されるビームは、最も高い優先順位を持つダウンリンクビームに従って決定される。または、ダウンリンクビームグループ内のメインダウンリンクビームが事前に定義されており、ＰＵＣＣＨ送信中に使用されるビームがメインダウンリンクビームに従って優先的に決定される。メインダウンリンクビームでＰＤＣＣＨ送信および／またはＰＤＳＣＨ送信が実行されない場合、ＰＵＣＣＨ送信中に使用されるビームは、ダウンリンク補助ビームに従って決定されるか、複数のダウンリンクビームに従って決定されるアップリンクビームの１つは、アップリンクビームの優先順位、メインアップリンクビームが含まれるかどうかなどに従って、ＰＵＣＣＨ送信中に使用されるビームとして選択される。
【０１０５】
可能な実施モードの１つでは、ＰＤＣＣＨおよび／またはＰＤＳＣＨによって使用されるビームにより、ＰＵＣＣＨ送信中に使用されるアップリンクビームを決定することは、以下を含む。
【０１０６】
複数のダウンリンクビームが、ＰＵＣＣＨ送信用の１つのアップリンクプライマリビームにそれぞれ対応する複数のグループに分割される場合：
異なるダウンリンクビームを使用する複数のＰＤＣＣＨおよび／またはＰＤＳＣＨが受信され、前記複数のＰＤＣＣＨおよび／またはＰＤＳＣＨに関連するＡＣＫ／ＮＡＣＫが同時にフィードバックされない場合、前記複数のＰＤＣＣＨのそれぞれについて上記のプロセスを実行する。各ＰＤＳＣＨおよび／またはＰＤＣＣＨおよび／またはＰＤＳＣＨのＡＣＫ／ＮＡＣＫを運ぶＰＵＣＣＨによって使用されるアップリンクビームを決定する。
【０１０７】
第２の実施形態
図２を参考すると、第１の実施形態と同じ発明思想に従って、本発明の実施形態は、以下のステップを含む別のＰＵＣＣＨ送信方法を提供する。
【０１０８】
ステップ２０１：端末がＰＤＣＣＨおよび／またはＰＤＳＣＨによって使用されるダウンリンクビームに従って、ＰＵＣＣＨ送信中に使用されるアップリンクビームを決定すると決定する。
【０１０９】
ステップ２０２：端末が決定されたアップリンクビームによりＰＵＣＣＨ送信を実行すると決定する。
【０１１０】
可能な実施モードの１つでは、ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
ＰＤＳＣＨは、ＡＣＫ／ＮＡＣＫフィードバックがＰＵＣＣＨ上で実行される必要があるＰＤＳＣＨである。
【０１１１】
可能な実施モードの１つでは、端末がＰＤＣＣＨおよび／またはＰＤＳＣＨによって使用されるダウンリンクビームに従って、ＰＵＣＣＨ送信中に使用されるアップリンクビームを決定すると決定し、決定されたアップリンクビームを使用してＰＵＣＣＨを送信する場合、
端末が受信されたＰＤＣＣＨおよび／またはＰＤＳＣＨに対応するダウンリンクビームペアリンケージ（ＢＰＬ）に従って、対応するアップリンクＢＰＬを決定し、アップリンクＢＰＬに従って、ＰＵＣＣＨ送信中に使用されるアップリンクビームを決定すると決定し、ＰＵＣＣＨのＤＭＲＳポートと第１の基準信号のリソース上のポートとの間のＱＣＬ関係を決定する。端末がアップリンクＢＰＬに対応するアップリンクビームを使用してＰＵＣＣＨ送信を実行し、または、アップリンクＢＰＬに従って、ＰＵＣＣＨのＤＭＲＳポートと第１の基準信号のリソース上のポートとの間のＱＣＬ関係を決定し、ＱＣＬ関係に従って、ＰＵＣＣＨ送信を実行すると決定し、または、
端末が受信されたＰＤＣＣＨおよび／またはＰＤＳＣＨに対応するダウンリンクＢＰＬに従って対応するアップリンクビームインデックスを決定すると決定し、端末がアップリンクビームインデックスに対応するアップリンクビームを使用してＰＵＣＣＨ送信を実行すると決定し、または、
端末が受信されたＰＤＣＣＨおよび／またはＰＤＳＣＨに対応するダウンリンクＢＰＬに従ってＰＵＣＣＨのＤＭＲＳポートと第１の基準信号のリソース上のポートとの間のＱＣＬ関係を決定すると決定する。端末がＱＣＬ関係に従って、ＰＵＣＣＨ送信を実行すると決定し、または、
端末が受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定すると決定し、端末がアップリンクビームインデックスに対応するアップリンクビームを使用してＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、ＰＵＣＣＨのＤＭＲＳポートと第１の基準信号のリソース上のポートとの間のＱＣＬ関係を決定すると決定する。端末がＰＵＣＣＨのＤＭＲＳポートと第１の基準信号のリソース上のポートとの間のＱＣＬ関係に従って、ＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定すると決定し、アップリンクＢＰＬに従って、ＰＵＣＣＨ送信中に使用されるアップリンクビームを決定し、ＰＵＣＣＨのＤＭＲＳポートと第１の基準信号のリソース上のポートとの間のＱＣＬ関係を決定すると決定する。端末がアップリンクＢＰＬに対応するアップリンクビームを使用してＰＵＣＣＨ送信を実行し、または、アップリンクＢＰＬに従って、ＰＵＣＣＨのＤＭＲＳポートと第１の基準信号のリソース上のポートとの間のＱＣＬ関係を決定し、ＱＣＬ関係に従って、ＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定すると決定し、端末がアップリンクビームインデックスに対応するアップリンクビームを使用してＰＵＣＣＨ送信を実行すると決定する。
【０１１２】
可能な実施モードの１つでは、ＰＤＣＣＨおよび／またはＰＤＳＣＨのＤＭＲＳポートと第２の基準信号のリソース上のポートとの間のＱＣＬ関係は、
ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
ＰＵＣＣＨのＤＭＲＳポートと第１の基準信号のリソース上のポートとの間のＱＣＬ関係は、
ＰＵＣＣＨのＤＭＲＳポートと、１つの設定された第１の基準信号のリソース上のすべてのポートまたは１つの指定されたポートとの間にＱＣＬ関係を有する。
【０１１３】
可能な実施モードの１つでは、端末がＰＤＣＣＨおよび／またはＰＤＳＣＨによって使用されるダウンリンクビームに従って、ＰＵＣＣＨ送信中に使用されるアップリンクビームを決定すると決定する場合、
端末が、事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定すると決定する。
【０１１４】
可能な実施モードの１つでは、端末がＰＤＣＣＨおよび／またはＰＤＳＣＨによって使用されるダウンリンクビームに従って、ＰＵＣＣＨ送信中に使用されるアップリンクビームを決定すると決定する場合、
複数のＰＤＣＣＨおよび／またはＰＤＳＣＨが受信され、複数のＰＤＣＣＨおよび／またはＰＤＳＣＨによって使用されるダウンリンクビーム異なり、複数のＰＤＣＣＨおよび／またはＰＤＳＣＨに関連するＡＣＫ／ＮＡＣＫが同じタイミングでフィードバックされる場合、複数のダウンリンクビームに対応する複数のアップリンクビームを決定し、ＰＵＣＣＨ送信中に使用されるアップリンクビームとして、複数のアップリンクビームから１つのアップリンクビームを選択し、
端末が決定されたアップリンクビームによりＰＵＣＣＨ送信を実行すると決定する場合、
決定されたアップリンクビームにより、同じＰＵＣＣＨにおいて複数のＰＤＣＣＨおよび／またはＰＤＳＣＨに関連するＡＣＫ／ＮＡＣＫを送信する。
【０１１５】
可能な実施モードの１つでは、端末がＰＤＣＣＨおよび／またはＰＤＳＣＨによって使用されるダウンリンクビームに従って、ＰＵＣＣＨ送信中に使用されるアップリンクビームを決定すると決定する場合、
複数のＰＤＣＣＨおよび／またはＰＤＳＣＨが受信され、複数のＰＤＣＣＨおよび／またはＰＤＳＣＨによって使用されるビーム異なり、複数のＰＤＣＣＨおよび／またはＰＤＳＣＨに関連するＡＣＫ／ＮＡＣＫが同じタイミングでフィードバックされる場合、複数のダウンリンクビームから１つのダウンリンクビームを選択し、選択された１つのダウンリンクビームに従って、ＰＵＣＣＨ送信中に使用されるアップリンクビームを決定し、
端末が決定されたアップリンクビームによりＰＵＣＣＨ送信を実行すると決定する場合、
決定されたアップリンクビームにより、同じＰＵＣＣＨにおいて複数のＰＤＣＣＨおよび／またはＰＤＳＣＨに関連するＡＣＫ／ＮＡＣＫを送信する。
【０１１６】
可能な実施モードの１つでは、端末がＰＤＣＣＨおよび／またはＰＤＳＣＨによって使用されるビームにより、ＰＵＣＣＨ送信中に使用されるアップリンクビームを決定すると決定する場合、
複数のダウンリンクビームと複数のアップリンクビームが複数のグループに分割され、各グループのダウンリンクビームと同じグループのアップリンクビームが対応関係を有する場合、
方式１：受信された第１のＰＤＣＣＨおよび／またはＰＤＳＣＨによって使用されるダウンリンクビーム−ｘに従って、第１のアップリンクビームを決定し、第１のアップリンクビームを使用して第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用してＰＤＣＣＨおよび／またはＰＤＳＣＨに関連するＡＣＫ／ＮＡＣＫを運ぶＰＵＣＣＨを送信すると決定し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨが受信され、かつ、ＰＤＣＣＨおよび／またはＰＤＳＣＨに関連するＡＣＫ／ＮＡＣＫが同じタイミングでフィードバックされる場合、グループ内の複数のダウンリンクビームに対応する複数のアップリンクビームを決定し、ＰＵＣＣＨ送信中に使用されるアップリンクビームとして複数のアップリンクビームから１つのアップリンクビームを選択し，ＰＵＣＣＨはＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨが受信され、かつ、ＰＤＣＣＨおよび／またはＰＤＳＣＨに関連するＡＣＫ／ＮＡＣＫが同じタイミングでフィードバックされる場合、複数のダウンリンクビームから１つのダウンリンクビームを選択し、選択された１つのダウンリンクビームに従って、ＰＵＣＣＨ送信中に使用されるアップリンクビームを決定し、ＰＵＣＣＨはＰＤＣＣＨおよび／またはＰＤＳＣＨに関連するＡＣＫ／ＮＡＣＫを運ぶ。
【０１１７】
可能な実施モードの１つでは、端末がＰＤＣＣＨおよび／またはＰＤＳＣＨによって使用されるビームにより、ＰＵＣＣＨ送信中に使用されるアップリンクビームを決定すると決定する場合、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、第１のグループに対応する第１のアップリンクメインビームを使用して第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して第２のＰＤＣＣＨおよび／またはＰＤＳＣＨに関連するＡＣＫ／ＮＡＣＫを運ぶＰＵＣＣＨを送信すると決定する。
【０１１８】
可能な実施モードの１つでは、ＰＵＣＣＨ送信中に使用されるアップリンクビームとして複数のアップリンクビームから１つのアップリンクビームを選択する場合、
事前設定または事前合意されたアップリンクビームまたはセル優先順位に従って、ＰＵＣＣＨ送信中に使用されるアップリンクビームとして、複数のアップリンクビームから１つを選択し、または、
複数のアップリンクビームに事前設定または事前合意されたアップリンクメインビームが含まれる場合、ＰＵＣＣＨ送信に使用されるアップリンクビームとしてアップリンクメインビームを決定する。および、少なくとも１つのアップリンクビームがアップリンクメインビームを含まない場合、ＰＵＣＣＨ送信に使用されるアップリンクビームとして少なくとも１つのビームのうちの指定番号が付けられた補助ビームを決定する。または、
複数のアップリンクビームに事前設定または事前合意されたメインセルに対応するアップリンクビームがある場合、メインセルに対応するアップリンクビームをＰＵＣＣＨ送信中に使用されるアップリンクビームとする。および、少なくとも１つのアップリンクビームにメインセルに対応するアップリンクビームがない場合、補助セルに対応するアップリンクビームをＰＵＣＣＨ送信中に使用されるアップリンクビームとする。
【０１１９】
可能な実施モードの１つでは、複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、ダウンリンクメインビームに従ってＰＵＣＣＨ送信中に使用されるアップリンクビームを決定し、および／または、メインセルにおいてＰＤＣＣＨおよび／またはＰＤＳＣＨ送信が受信された場合、メインセルに対応するダウンリンクビームに従ってＰＵＣＣＨ送信中に使用されるアップリンクビームを決定し、および、ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、ダウンリンクメインビームグループ内のいずれかのダウンリンクビームを使用して送信されたＰＤＣＣＨおよび／またはＰＤＳＣＨＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるアップリンクビームとしてのダウンリンク補助ビームグループに対応するアップリンク補助ビームを決定する。および、複数のダウンリンク補助ビームグループが存在する場合、ダウンリンク補助ビームグループの優先順位またはダウンリンク補助ビームグループの番号順位に従って、１つのダウンリンク補助ビームグループを選択する。
【０１２０】
第３の実施形態
図３を参考すると、本発明の実施形態は、決定ユニット３０１および送信ユニット３０２を含むユーザー機器を提供する。
【０１２１】
前記決定ユニット３０１は、ＰＤＣＣＨおよび／またはＰＤＳＣＨによって使用されるダウンリンクビームに従って、ＰＵＣＣＨ送信中に使用されるアップリンクビームを決定する。
【０１２２】
前記送信ユニット３０２は、決定されたアップリンクビームによりＰＵＣＣＨ送信を実行する。
【０１２３】
可能な実施モードの１つでは、ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
ＰＤＳＣＨは、ＡＣＫ／ＮＡＣＫフィードバックがＰＵＣＣＨ上で実行される必要があるＰＤＳＣＨである。
【０１２４】
可能な実施モードの１つでは、決定ユニット３０１は、受信されたＰＤＣＣＨおよび／またはＰＤＳＣＨに対応するダウンリンクビームペアリンケージ（ＢＰＬ）に従って、対応するアップリンクＢＰＬアップリンクＢＰＬに従って、ＰＵＣＣＨ送信中に使用されるアップリンクビームを決定し、ＰＵＣＣＨのＤＭＲＳポートと第１の基準信号のリソース上のポートとの間のＱＣＬ関係を決定する。決定ユニット３０１は、アップリンクＢＰＬに対応するアップリンクビームを使用してＰＵＣＣＨ送信を実行し、または、決定ユニット３０１は、アップリンクＢＰＬに従って、ＰＵＣＣＨのＤＭＲＳポートと第１の基準信号のリソース上のポートとの間のＱＣＬ関係を決定し、送信ユニットは、ＱＣＬ関係に従って、ＰＵＣＣＨ送信を実行する。または、
決定ユニット３０１は、受信されたＰＤＣＣＨおよび／またはＰＤＳＣＨに対応するダウンリンクＢＰＬに従って対応するアップリンクビームインデックスを決定し、送信ユニット３０２は、アップリンクビームインデックスに対応するアップリンクビームを使用してＰＵＣＣＨ送信を実行する。または、
決定ユニット３０１は、受信されたＰＤＣＣＨおよび／またはＰＤＳＣＨに対応するダウンリンクＢＰＬに従ってＰＵＣＣＨのＤＭＲＳポートと第１の基準信号のリソース上のポートとの間のＱＣＬ関係を決定する。送信ユニット３０２は、ＱＣＬ関係に従って、ＰＵＣＣＨ送信を実行する。または、
決定ユニット３０１は、受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定し、送信ユニット３０２は、アップリンクビームインデックスに対応するアップリンクビームを使用してＰＵＣＣＨ送信を実行する。または、
決定ユニット３０１は、受信されたＰＤＣＣＨおよび／またはＰＤＳＣＨのＤＭＲＳポートと第２の基準信号のリソース上のポートとの間のＱＣＬ関係に従って、ＰＵＣＣＨのＤＭＲＳポートと第１の基準信号のリソース上のポートとの間のＱＣＬ関係を決定する。送信ユニット３０２は、ＰＵＣＣＨのＤＭＲＳポートと第１の基準信号のリソース上のポートとの間のＱＣＬ関係に従って、ＰＵＣＣＨ送信を実行する。または、
決定ユニット３０１は、受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、アップリンクＢＰＬに従って、ＰＵＣＣＨ送信中に使用されるアップリンクビームを決定し、ＰＵＣＣＨのＤＭＲＳポートと第１の基準信号のリソース上のポートとの間のＱＣＬ関係を決定する。送信ユニット３０２は、アップリンクＢＰＬに対応するアップリンクビームを使用してＰＵＣＣＨ送信を実行し、または、決定ユニット３０１は、アップリンクＢＰＬに従って、ＰＵＣＣＨのＤＭＲＳポートと第１の基準信号のリソース上のポートとの間のＱＣＬ関係を決定し、送信ユニット３０２は、ＱＣＬ関係に従って、ＰＵＣＣＨ送信を実行する。または、
決定ユニット３０１は、受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定し、送信ユニット３０２は、アップリンクビームインデックスに対応するアップリンクビームを使用してＰＵＣＣＨ送信を実行する。
【０１２５】
可能な実施モードの１つでは、ＰＤＣＣＨおよび／またはＰＤＳＣＨのＤＭＲＳポートと第２の基準信号のリソース上のポートとの間のＱＣＬ関係は、
ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
ＰＵＣＣＨのＤＭＲＳポートと第１の基準信号のリソース上のポートとの間のＱＣＬ関係は、
ＰＵＣＣＨのＤＭＲＳポートと、１つの設定された第１の基準信号のリソース上のすべてのポートまたは１つの指定されたポートとの間にＱＣＬ関係を有する。
【０１２６】
可能な実施モードの１つでは、決定ユニット３０１は、
事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定する。
【０１２７】
可能な実施モードの１つでは、決定ユニット３０１は、
複数のＰＤＣＣＨおよび／またはＰＤＳＣＨが受信され、複数のＰＤＣＣＨおよび／またはＰＤＳＣＨによって使用されるダウンリンクビーム異なり、複数のＰＤＣＣＨおよび／またはＰＤＳＣＨに関連するＡＣＫ／ＮＡＣＫが同じタイミングでフィードバックされる場合、複数のダウンリンクビームに対応する複数のアップリンクビームを決定し、ＰＵＣＣＨ送信中に使用されるアップリンクビームとして、複数のアップリンクビームから１つのアップリンクビームを選択する。
【０１２８】
送信ユニット３０２は、決定されたアップリンクビームにより、同じＰＵＣＣＨにおいて複数のＰＤＣＣＨおよび／またはＰＤＳＣＨに関連するＡＣＫ／ＮＡＣＫを送信する。
【０１２９】
可能な実施モードの１つでは、決定ユニット３０１は、複数のＰＤＣＣＨおよび／またはＰＤＳＣＨが受信され、複数のＰＤＣＣＨおよび／またはＰＤＳＣＨによって使用されるビーム異なり、複数のＰＤＣＣＨおよび／またはＰＤＳＣＨに関連するＡＣＫ／ＮＡＣＫが同じタイミングでフィードバックされる場合、複数のダウンリンクビームから１つのダウンリンクビームを選択し、選択された１つのダウンリンクビームに従って、ＰＵＣＣＨ送信中に使用されるアップリンクビームを決定する。
【０１３０】
送信ユニット３０２は、決定されたアップリンクビームにより、同じＰＵＣＣＨにおいて複数のＰＤＣＣＨおよび／またはＰＤＳＣＨに関連するＡＣＫ／ＮＡＣＫを送信する。
【０１３１】
可能な実施モードの１つでは、決定ユニット３０１は、複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信された第１のＰＤＣＣＨおよび／またはＰＤＳＣＨによって使用されるダウンリンクビーム−ｘに従って、第１のアップリンクビームを決定し、第１のアップリンクビームを使用して第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用してＰＤＣＣＨおよび／またはＰＤＳＣＨに関連するＡＣＫ／ＮＡＣＫを運ぶＰＵＣＣＨを送信すると決定し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信される。
方式２：複数の同じグループの異なるダウンリンクビームを使用して送信されたＰＤＣＣＨおよび／またはＰＤＳＣＨが受信され、かつ、ＰＤＣＣＨおよび／またはＰＤＳＣＨに関連するＡＣＫ／ＮＡＣＫが同じタイミングでフィードバックされる場合、グループ内の複数のダウンリンクビームに対応する複数のアップリンクビームを決定し、ＰＵＣＣＨ送信中に使用されるアップリンクビームとして複数のアップリンクビームから１つのアップリンクビームを選択し，ＰＵＣＣＨはＰＤＣＣＨおよび／またはＰＤＳＣＨに関連するＡＣＫ／ＮＡＣＫを運ぶ。
方式３：複数の同じグループの異なるダウンリンクビームを使用して送信されたＰＤＣＣＨおよび／またはＰＤＳＣＨが受信され、かつ、ＰＤＣＣＨおよび／またはＰＤＳＣＨに関連するＡＣＫ／ＮＡＣＫが同じタイミングでフィードバックされる場合、複数のダウンリンクビームから１つのダウンリンクビームを選択し、選択された１つのダウンリンクビームに従って、ＰＵＣＣＨ送信中に使用されるアップリンクビームを決定し、ＰＵＣＣＨはＰＤＣＣＨおよび／またはＰＤＳＣＨに関連するＡＣＫ／ＮＡＣＫを運ぶ。
【０１３２】
可能な実施モードの１つでは、決定ユニット３０１は、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、第１のグループに対応する第１のアップリンクメインビームを使用して第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して第２のＰＤＣＣＨおよび／またはＰＤＳＣＨに関連するＡＣＫ／ＮＡＣＫを運ぶＰＵＣＣＨを送信すると決定する。
【０１３３】
可能な実施モードの１つでは、決定ユニット３０１は、
事前設定または事前合意されたアップリンクビームまたはセル優先順位に従って、ＰＵＣＣＨ送信中に使用されるアップリンクビームとして、複数のアップリンクビームから１つを選択する。または、
複数のアップリンクビームに事前設定または事前合意されたアップリンクメインビームが含まれる場合、ＰＵＣＣＨ送信に使用されるアップリンクビームとしてアップリンクメインビームを決定する。および、少なくとも１つのアップリンクビームがアップリンクメインビームを含まない場合、ＰＵＣＣＨ送信に使用されるアップリンクビームとして少なくとも１つのビームのうちの指定番号が付けられた補助ビームを決定する。または、
複数のアップリンクビームに事前設定または事前合意されたメインセルに対応するアップリンクビームがある場合、メインセルに対応するアップリンクビームをＰＵＣＣＨ送信中に使用されるアップリンクビームとする。および、少なくとも１つのアップリンクビームにメインセルに対応するアップリンクビームがない場合、補助セルに対応するアップリンクビームをＰＵＣＣＨ送信中に使用されるアップリンクビームとする。
【０１３４】
可能な実施モードの１つでは、決定ユニット３０１は、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、ダウンリンクメインビームに従ってＰＵＣＣＨ送信中に使用されるアップリンクビームを決定し、および／または、メインセルにおいてＰＤＣＣＨおよび／またはＰＤＳＣＨ送信が受信された場合、メインセルに対応するダウンリンクビームに従ってＰＵＣＣＨ送信中に使用されるアップリンクビームを決定し、および、ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、ダウンリンクメインビームグループ内のいずれかのダウンリンクビームを使用して送信されたＰＤＣＣＨおよび／またはＰＤＳＣＨＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるアップリンクビームとしてのダウンリンク補助ビームグループに対応するアップリンク補助ビームを決定する。および、複数のダウンリンク補助ビームグループが存在する場合、ダウンリンク補助ビームグループの優先順位またはダウンリンク補助ビームグループの番号順位に従って、１つのダウンリンク補助ビームグループを選択する。
【０１３５】
第４の実施形態
本発明の実施形態は、決定ユニットを含む装置をさらに提供する。
【０１３６】
前記決定ユニットは、端末がＰＤＣＣＨおよび／またはＰＤＳＣＨによって使用されるダウンリンクビームに従って、ＰＵＣＣＨ送信中に使用されるアップリンクビームを決定すると決定し、および端末が決定されたアップリンクビームによりＰＵＣＣＨ送信を実行すると決定する。
【０１３７】
可能な実施モードの１つでは、ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
ＰＤＳＣＨは、ＡＣＫ／ＮＡＣＫフィードバックがＰＵＣＣＨ上で実行される必要があるＰＤＳＣＨである。
【０１３８】
可能な実施モードの１つでは、決定ユニットは、
端末が受信されたＰＤＣＣＨおよび／またはＰＤＳＣＨに対応するダウンリンクビームペアリンケージ（ＢＰＬ）に従って、対応するアップリンクＢＰＬを決定し、アップリンクＢＰＬに従って、ＰＵＣＣＨ送信中に使用されるアップリンクビームを決定すると決定し、ＰＵＣＣＨのＤＭＲＳポートと第１の基準信号のリソース上のポートとの間のＱＣＬ関係を決定する。端末がアップリンクＢＰＬに対応するアップリンクビームを使用してＰＵＣＣＨ送信を実行し、または、アップリンクＢＰＬに従って、ＰＵＣＣＨのＤＭＲＳポートと第１の基準信号のリソース上のポートとの間のＱＣＬ関係を決定し、ＱＣＬ関係に従って、ＰＵＣＣＨ送信を実行すると決定し、または、
端末が受信されたＰＤＣＣＨおよび／またはＰＤＳＣＨに対応するダウンリンクＢＰＬに従って対応するアップリンクビームインデックスを決定すると決定し、端末がアップリンクビームインデックスに対応するアップリンクビームを使用してＰＵＣＣＨ送信を実行すると決定し、または、
端末が受信されたＰＤＣＣＨおよび／またはＰＤＳＣＨに対応するダウンリンクＢＰＬに従ってＰＵＣＣＨのＤＭＲＳポートと第１の基準信号のリソース上のポートとの間のＱＣＬ関係を決定すると決定する。端末がＱＣＬ関係に従って、ＰＵＣＣＨ送信を実行すると決定し、または、
端末が受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定すると決定し、端末がアップリンクビームインデックスに対応するアップリンクビームを使用してＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、ＰＵＣＣＨのＤＭＲＳポートと第１の基準信号のリソース上のポートとの間のＱＣＬ関係を決定すると決定する。端末がＰＵＣＣＨのＤＭＲＳポートと第１の基準信号のリソース上のポートとの間のＱＣＬ関係に従って、ＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定すると決定し、アップリンクＢＰＬに従って、ＰＵＣＣＨ送信中に使用されるアップリンクビームを決定し、ＰＵＣＣＨのＤＭＲＳポートと第１の基準信号のリソース上のポートとの間のＱＣＬ関係を決定すると決定する。端末がアップリンクＢＰＬに対応するアップリンクビームを使用してＰＵＣＣＨ送信を実行し、または、アップリンクＢＰＬに従って、ＰＵＣＣＨのＤＭＲＳポートと第１の基準信号のリソース上のポートとの間のＱＣＬ関係を決定し、ＱＣＬ関係に従って、ＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定すると決定し、端末がアップリンクビームインデックスに対応するアップリンクビームを使用してＰＵＣＣＨ送信を実行すると決定する。
【０１３９】
可能な実施モードの１つでは、ＰＤＣＣＨおよび／またはＰＤＳＣＨのＤＭＲＳポートと第２の基準信号のリソース上のポートとの間のＱＣＬ関係は、
ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
ＰＵＣＣＨのＤＭＲＳポートと第１の基準信号のリソース上のポートとの間のＱＣＬ関係は、
ＰＵＣＣＨのＤＭＲＳポートと、１つの設定された第１の基準信号のリソース上のすべてのポートまたは１つの指定されたポートとの間にＱＣＬ関係を有する。
【０１４０】
可能な実施モードの１つでは、決定ユニットは、
端末が、事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定すると決定する。
【０１４１】
可能な実施モードの１つでは、決定ユニットは、
複数のＰＤＣＣＨおよび／またはＰＤＳＣＨが受信され、複数のＰＤＣＣＨおよび／またはＰＤＳＣＨによって使用されるダウンリンクビーム異なり、複数のＰＤＣＣＨおよび／またはＰＤＳＣＨに関連するＡＣＫ／ＮＡＣＫが同じタイミングでフィードバックされる場合、複数のダウンリンクビームに対応する複数のアップリンクビームを決定し、ＰＵＣＣＨ送信中に使用されるアップリンクビームとして、複数のアップリンクビームから１つのアップリンクビームを選択し、
端末が決定されたアップリンクビームによりＰＵＣＣＨ送信を実行すると決定する場合、
決定されたアップリンクビームにより、同じＰＵＣＣＨにおいて複数のＰＤＣＣＨおよび／またはＰＤＳＣＨに関連するＡＣＫ／ＮＡＣＫを送信する。
【０１４２】
可能な実施モードの１つでは、決定ユニットは、
複数のＰＤＣＣＨおよび／またはＰＤＳＣＨが受信され、複数のＰＤＣＣＨおよび／またはＰＤＳＣＨによって使用されるビーム異なり、複数のＰＤＣＣＨおよび／またはＰＤＳＣＨに関連するＡＣＫ／ＮＡＣＫが同じタイミングでフィードバックされる場合、複数のダウンリンクビームから１つのダウンリンクビームを選択し、選択された１つのダウンリンクビームに従って、ＰＵＣＣＨ送信中に使用されるアップリンクビームを決定し、
端末が決定されたアップリンクビームによりＰＵＣＣＨ送信を実行すると決定する場合、
決定されたアップリンクビームにより、同じＰＵＣＣＨにおいて複数のＰＤＣＣＨおよび／またはＰＤＳＣＨに関連するＡＣＫ／ＮＡＣＫを送信する。
【０１４３】
可能な実施モードの１つでは、決定ユニットは、
複数のダウンリンクビームと複数のアップリンクビームが複数のグループに分割され、各グループのダウンリンクビームと同じグループのアップリンクビームが対応関係を有する場合、
方式１：受信された第１のＰＤＣＣＨおよび／またはＰＤＳＣＨによって使用されるダウンリンクビーム−ｘに従って、第１のアップリンクビームを決定し、第１のアップリンクビームを使用して第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用してＰＤＣＣＨおよび／またはＰＤＳＣＨに関連するＡＣＫ／ＮＡＣＫを運ぶＰＵＣＣＨを送信すると決定し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信される。
方式２：複数の同じグループの異なるダウンリンクビームを使用して送信されたＰＤＣＣＨおよび／またはＰＤＳＣＨが受信され、かつ、ＰＤＣＣＨおよび／またはＰＤＳＣＨに関連するＡＣＫ／ＮＡＣＫが同じタイミングでフィードバックされる場合、グループ内の複数のダウンリンクビームに対応する複数のアップリンクビームを決定し、ＰＵＣＣＨ送信中に使用されるアップリンクビームとして複数のアップリンクビームから１つのアップリンクビームを選択し，ＰＵＣＣＨはＰＤＣＣＨおよび／またはＰＤＳＣＨに関連するＡＣＫ／ＮＡＣＫを運る。
方式３：複数の同じグループの異なるダウンリンクビームを使用して送信されたＰＤＣＣＨおよび／またはＰＤＳＣＨが受信され、かつ、ＰＤＣＣＨおよび／またはＰＤＳＣＨに関連するＡＣＫ／ＮＡＣＫが同じタイミングでフィードバックされる場合、複数のダウンリンクビームから１つのダウンリンクビームを選択し、選択された１つのダウンリンクビームに従って、ＰＵＣＣＨ送信中に使用されるアップリンクビームを決定し、ＰＵＣＣＨはＰＤＣＣＨおよび／またはＰＤＳＣＨに関連するＡＣＫ／ＮＡＣＫを運ぶ。
【０１４４】
可能な実施モードの１つでは、決定ユニットは、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、第１のグループに対応する第１のアップリンクメインビームを使用して第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して第２のＰＤＣＣＨおよび／またはＰＤＳＣＨに関連するＡＣＫ／ＮＡＣＫを運ぶＰＵＣＣＨを送信すると決定する。
【０１４５】
可能な実施モードの１つでは、決定ユニットは、
事前設定または事前合意されたアップリンクビームまたはセル優先順位に従って、ＰＵＣＣＨ送信中に使用されるアップリンクビームとして、複数のアップリンクビームから１つを選択し、または、
複数のアップリンクビームに事前設定または事前合意されたアップリンクメインビームが含まれる場合、ＰＵＣＣＨ送信に使用されるアップリンクビームとしてアップリンクメインビームを決定する。および、少なくとも１つのアップリンクビームがアップリンクメインビームを含まない場合、ＰＵＣＣＨ送信に使用されるアップリンクビームとして少なくとも１つのビームのうちの指定番号が付けられた補助ビームを決定する。または、
複数のアップリンクビームに事前設定または事前合意されたメインセルに対応するアップリンクビームがある場合、メインセルに対応するアップリンクビームをＰＵＣＣＨ送信中に使用されるアップリンクビームとする。および、少なくとも１つのアップリンクビームにメインセルに対応するアップリンクビームがない場合、補助セルに対応するアップリンクビームをＰＵＣＣＨ送信中に使用されるアップリンクビームとする。
【０１４６】
可能な実施モードの１つでは、決定ユニットは、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、ダウンリンクメインビームに従ってＰＵＣＣＨ送信中に使用されるアップリンクビームを決定し、および／または、メインセルにおいてＰＤＣＣＨおよび／またはＰＤＳＣＨ送信が受信された場合、メインセルに対応するダウンリンクビームに従ってＰＵＣＣＨ送信中に使用されるアップリンクビームを決定し、および、ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、ダウンリンクメインビームグループ内のいずれかのダウンリンクビームを使用して送信されたＰＤＣＣＨおよび／またはＰＤＳＣＨＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるアップリンクビームとしてのダウンリンク補助ビームグループに対応するアップリンク補助ビームを決定する。および、複数のダウンリンク補助ビームグループが存在する場合、ダウンリンク補助ビームグループの優先順位またはダウンリンク補助ビームグループの番号順位に従って、１つのダウンリンク補助ビームグループを選択する。
【０１４７】
第５の実施形態
図４を参考すると、本発明の実施形態は、プロセッサ４０１と、プロセッサ４０１に接続されたメモリ４０２と送受信機４０３とを含む別のユーザー機器を提供する。
【０１４８】
ここで、図５では、バスアーキテクチャは、いずれ数の相互接続するバス及びブリッジを備える。具体的に、プロセッサ４０１によって表される１つまたは複数のプロセッサ及びメモリ４０２によって表されるメモリの様々な回路をリンクすることにより形成される。バスアーキテクチャは、周辺機器、電圧調整器、電力管理回路などのさまざまな他の回路もリンクでき、さまざまな他の回路は当技術分野で周知であり、したがって、本明細書ではこれ以上説明しない。バスインターフェースはインターフェースを提供する。送受信機４０３は、複数の要素、すなわち送信機および受信機を含み、伝送媒体上の様々な他の装置と通信するユニットを提供することができる。異なるユーザー設備に対し、ユーザーインターフェース４０４は、所望のデバイスを外部および内部で接続することができるインターフェースであり得、接続されたデバイスは、キーパッド、ディスプレイ、スピーカー、マイク、ジョイスティックなどを含むが、これらに限定されない。
【０１４９】
プロセッサ４０１は、バスアーキテクチャを管理し、通常の処理を実行する役割を果たし、メモリ４０２は、プロセッサ４０１が動作を実行するときに使用されるデータを格納することができる。
【０１５０】
前記プロセッサ４０１は、メモリ４０２内のプログラムを読み取り、次のプロセスを実行するように構成される：
ＰＤＣＣＨおよび／またはＰＤＳＣＨによって使用されるダウンリンクビームに従って、ＰＵＣＣＨ送信中に使用されるアップリンクビームを決定し、
送受信機４０３を制御して決定されたアップリンクビームによりＰＵＣＣＨ送信を実行する。
【０１５１】
可能な実施モードの１つでは、ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
ＰＤＳＣＨは、ＡＣＫ／ＮＡＣＫフィードバックがＰＵＣＣＨ上で実行される必要があるＰＤＳＣＨである。
【０１５２】
可能な実施モードの１つでは、受信されたＰＤＣＣＨおよび／またはＰＤＳＣＨに対応するダウンリンクビームペアリンケージ（ＢＰＬ）に従って、対応するアップリンクＢＰＬを決定し、アップリンクＢＰＬに従って、ＰＵＣＣＨ送信中に使用されるアップリンクビームを決定し、ＰＵＣＣＨのＤＭＲＳポートと第１の基準信号のリソース上のポートとの間のＱＣＬ関係を決定する。送受信機４０３を制御してアップリンクＢＰＬに対応するアップリンクビームを使用してＰＵＣＣＨ送信を実行し、または、アップリンクＢＰＬに従って、ＰＵＣＣＨのＤＭＲＳポートと第１の基準信号のリソース上のポートとの間のＱＣＬ関係を決定し、送受信機４０３を制御してＱＣＬ関係に従って、ＰＵＣＣＨ送信を実行する。または、
受信されたＰＤＣＣＨおよび／またはＰＤＳＣＨに対応するダウンリンクＢＰＬに従って対応するアップリンクビームインデックスを決定し、送受信機４０３を制御してアップリンクビームインデックスに対応するアップリンクビームを使用してＰＵＣＣＨ送信を実行する。または、
受信されたＰＤＣＣＨおよび／またはＰＤＳＣＨに対応するダウンリンクＢＰＬに従ってＰＵＣＣＨのＤＭＲＳポートと第１の基準信号のリソース上のポートとの間のＱＣＬ関係を決定する。送受信機４０３を制御してＱＣＬ関係に従って、ＰＵＣＣＨ送信を実行する。または、
受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定し、送受信機４０３を制御してアップリンクビームインデックスに対応するアップリンクビームを使用してＰＵＣＣＨ送信を実行する。または、
受信されたＰＤＣＣＨおよび／またはＰＤＳＣＨのＤＭＲＳポートと第２の基準信号のリソース上のポートとの間のＱＣＬ関係に従って、ＰＵＣＣＨのＤＭＲＳポートと第１の基準信号のリソース上のポートとの間のＱＣＬ関係を決定する。送受信機４０３を制御してＰＵＣＣＨのＤＭＲＳポートと第１の基準信号のリソース上のポートとの間のＱＣＬ関係に従って、ＰＵＣＣＨ送信を実行する。または、
受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、アップリンクＢＰＬに従って、ＰＵＣＣＨ送信中に使用されるアップリンクビームを決定し、ＰＵＣＣＨのＤＭＲＳポートと第１の基準信号のリソース上のポートとの間のＱＣＬ関係を決定する。送受信機４０３を制御してアップリンクＢＰＬに対応するアップリンクビームを使用してＰＵＣＣＨ送信を実行し、または、アップリンクＢＰＬに従って、ＰＵＣＣＨのＤＭＲＳポートと第１の基準信号のリソース上のポートとの間のＱＣＬ関係を決定し、送受信機４０３を制御してＱＣＬ関係に従って、ＰＵＣＣＨ送信を実行する。または、
受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定し、送受信機４０３を制御してアップリンクビームインデックスに対応するアップリンクビームを使用してＰＵＣＣＨ送信を実行する。
【０１５３】
可能な実施モードの１つでは、ＰＤＣＣＨおよび／またはＰＤＳＣＨのＤＭＲＳポートと第２の基準信号のリソース上のポートとの間のＱＣＬ関係は、
ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
ＰＵＣＣＨのＤＭＲＳポートと第１の基準信号のリソース上のポートとの間のＱＣＬ関係は、
ＰＵＣＣＨのＤＭＲＳポートと、１つの設定された第１の基準信号のリソース上のすべてのポートまたは１つの指定されたポートとの間にＱＣＬ関係を有する。
【０１５４】
可能な実施モードの１つでは、ＰＤＣＣＨおよび／またはＰＤＳＣＨによって使用されるダウンリンクビームに従って、ＰＵＣＣＨ送信中に使用されるアップリンクビームを決定する場合、
事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定する。
【０１５５】
可能な実施モードの１つでは、ＰＤＣＣＨおよび／またはＰＤＳＣＨによって使用されるダウンリンクビームに従って、ＰＵＣＣＨ送信中に使用されるアップリンクビームを決定する場合、
複数のＰＤＣＣＨおよび／またはＰＤＳＣＨが受信され、複数のＰＤＣＣＨおよび／またはＰＤＳＣＨによって使用されるダウンリンクビーム異なり、複数のＰＤＣＣＨおよび／またはＰＤＳＣＨに関連するＡＣＫ／ＮＡＣＫが同じタイミングでフィードバックされる場合、複数のダウンリンクビームに対応する複数のアップリンクビームを決定し、ＰＵＣＣＨ送信中に使用されるアップリンクビームとして、複数のアップリンクビームから１つのアップリンクビームを選択し、
送受信機４０３を制御して決定されたアップリンクビームによりＰＵＣＣＨ送信を実行する場合、
送受信機４０３を制御して決定されたアップリンクビームにより、同じＰＵＣＣＨにおいて複数のＰＤＣＣＨおよび／またはＰＤＳＣＨに関連するＡＣＫ／ＮＡＣＫを送信する。
【０１５６】
可能な実施モードの１つでは、ＰＤＣＣＨおよび／またはＰＤＳＣＨによって使用されるダウンリンクビームに従って、ＰＵＣＣＨ送信中に使用されるアップリンクビームを決定する場合、
複数のＰＤＣＣＨおよび／またはＰＤＳＣＨが受信され、複数のＰＤＣＣＨおよび／またはＰＤＳＣＨによって使用されるビーム異なり、複数のＰＤＣＣＨおよび／またはＰＤＳＣＨに関連するＡＣＫ／ＮＡＣＫが同じタイミングでフィードバックされる場合、複数のダウンリンクビームから１つのダウンリンクビームを選択し、送受信機４０３を制御して選択された１つのダウンリンクビームに従って、ＰＵＣＣＨ送信中に使用されるアップリンクビームを決定し、
送受信機４０３を制御して決定されたアップリンクビームによりＰＵＣＣＨ送信を実行する場合、
送受信機４０３を制御して決定されたアップリンクビームにより、同じＰＵＣＣＨにおいて複数のＰＤＣＣＨおよび／またはＰＤＳＣＨに関連するＡＣＫ／ＮＡＣＫを送信する。
【０１５７】
可能な実施モードの１つでは、ＰＤＣＣＨおよび／またはＰＤＳＣＨによって使用されるビームにより、ＰＵＣＣＨ送信中に使用されるアップリンクビームを決定する場合、
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信された第１のＰＤＣＣＨおよび／またはＰＤＳＣＨによって使用されるダウンリンクビーム−ｘに従って、第１のアップリンクビームを決定し、第１のアップリンクビームを使用して第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用してＰＤＣＣＨおよび／またはＰＤＳＣＨに関連するＡＣＫ／ＮＡＣＫを運ぶＰＵＣＣＨを送信すると決定し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信される。
方式２：複数の同じグループの異なるダウンリンクビームを使用して送信されたＰＤＣＣＨおよび／またはＰＤＳＣＨが受信され、かつ、ＰＤＣＣＨおよび／またはＰＤＳＣＨに関連するＡＣＫ／ＮＡＣＫが同じタイミングでフィードバックされる場合、グループ内の複数のダウンリンクビームに対応する複数のアップリンクビームを決定し、ＰＵＣＣＨ送信中に使用されるアップリンクビームとして複数のアップリンクビームから１つのアップリンクビームを選択し，ＰＵＣＣＨはＰＤＣＣＨおよび／またはＰＤＳＣＨに関連するＡＣＫ／ＮＡＣＫを運ぶ。
方式３：複数の同じグループの異なるダウンリンクビームを使用して送信されたＰＤＣＣＨおよび／またはＰＤＳＣＨが受信され、かつ、ＰＤＣＣＨおよび／またはＰＤＳＣＨに関連するＡＣＫ／ＮＡＣＫが同じタイミングでフィードバックされる場合、複数のダウンリンクビームから１つのダウンリンクビームを選択し、選択された１つのダウンリンクビームに従って、ＰＵＣＣＨ送信中に使用されるアップリンクビームを決定し、ＰＵＣＣＨはＰＤＣＣＨおよび／またはＰＤＳＣＨに関連するＡＣＫ／ＮＡＣＫを運ぶ。
【０１５８】
可能な実施モードの１つでは、ＰＤＣＣＨおよび／またはＰＤＳＣＨによって使用されるビームにより、ＰＵＣＣＨ送信中に使用されるアップリンクビームを決定する場合、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、第１のグループに対応する第１のアップリンクメインビームを使用して第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して第２のＰＤＣＣＨおよび／またはＰＤＳＣＨに関連するＡＣＫ／ＮＡＣＫを運ぶＰＵＣＣＨを送信すると決定する。
【０１５９】
可能な実施モードの１つでは、ＰＵＣＣＨ送信中に使用されるアップリンクビームとして複数のアップリンクビームから１つのアップリンクビームを選択する場合、
事前設定または事前合意されたアップリンクビームまたはセル優先順位に従って、ＰＵＣＣＨ送信中に使用されるアップリンクビームとして、複数のアップリンクビームから１つを選択する。または、
複数のアップリンクビームに事前設定または事前合意されたアップリンクメインビームが含まれる場合、ＰＵＣＣＨ送信に使用されるアップリンクビームとしてアップリンクメインビームを決定する。および、少なくとも１つのアップリンクビームがアップリンクメインビームを含まない場合、ＰＵＣＣＨ送信に使用されるアップリンクビームとして少なくとも１つのビームのうちの指定番号が付けられた補助ビームを決定する。または、
複数のアップリンクビームに事前設定または事前合意されたメインセルに対応するアップリンクビームがある場合、メインセルに対応するアップリンクビームをＰＵＣＣＨ送信中に使用されるアップリンクビームとする。および、少なくとも１つのアップリンクビームにメインセルに対応するアップリンクビームがない場合、補助セルに対応するアップリンクビームをＰＵＣＣＨ送信中に使用されるアップリンクビームとする。
【０１６０】
可能な実施モードの１つでは、複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定する。または、
ダウンリンクメインビームを使用して送信されたＰＤＣＣＨおよび／またはＰＤＳＣＨが受信された場合、ダウンリンクメインビームに従ってＰＵＣＣＨ送信中に使用されるアップリンクビームを決定し、および／または、メインセルにおいてＰＤＣＣＨおよび／またはＰＤＳＣＨ送信が受信された場合、メインセルに対応するダウンリンクビームに従ってＰＵＣＣＨ送信中に使用されるアップリンクビームを決定し、および、ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルである。または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、ダウンリンクメインビームグループ内のいずれかのダウンリンクビームを使用して送信されたＰＤＣＣＨおよび／またはＰＤＳＣＨＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるアップリンクビームとしてのダウンリンク補助ビームグループに対応するアップリンク補助ビームを決定する。および、複数のダウンリンク補助ビームグループが存在する場合、ダウンリンク補助ビームグループの優先順位またはダウンリンク補助ビームグループの番号順位に従って、１つのダウンリンク補助ビームグループを選択する。
【０１６１】
第６の実施形態
図５を参考すると、本発明の実施形態は、プロセッサ５０１と、プロセッサに接続されたメモリ５０２とを含む別の装置を提供する。
【０１６２】
ここで、図５において、バスアーキテクチャは、いずれ数の相互接続するバス及びブリッジを備える。具体的に、プロセッサ５０１によって表される１つまたは複数のプロセッサ及びメモリ５０２によって表されるメモリの様々な回路をリンクすることにより形成される。バスアーキテクチャは、周辺機器、電圧調整器、電力管理回路などのさまざまな他の回路もリンクでき、さまざまな他の回路は当技術分野で周知であり、したがって、本明細書ではこれ以上説明しない。バスインターフェースはインターフェースを提供する。プロセッサ５０１は、バスアーキテクチャを管理し、通常の処理を実行する役割を果たし、メモリ５０２は、プロセッサ５０１が動作を実行するときに使用されるデータを格納することができる。
【０１６３】
前記プロセッサ５０１は、メモリ５０２内のプログラムを読み取り、次のプロセスを実行するように構成される：
端末がＰＤＣＣＨおよび／またはＰＤＳＣＨによって使用されるダウンリンクビームに従って、ＰＵＣＣＨ送信中に使用されるアップリンクビームを決定すると決定し、
端末が前記決定されたアップリンクビームにより、前記ＰＵＣＣＨ送信を実行すると決定する。
【０１６４】
可能な実施モードの１つでは、ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨである。
【０１６５】
可能な実施モードの１つでは、端末がＰＤＣＣＨおよび／またはＰＤＳＣＨによって使用されるダウンリンクビームに従って、ＰＵＣＣＨ送信中に使用されるアップリンクビームを決定すると決定し、前記決定されたアップリンクビームによって前記ＰＵＣＣＨ送信を実行する場合、
端末が受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定する。または、
端末が受信されたＰＤＣＣＨおよび／またはＰＤＳＣＨに対応するダウンリンクＢＰＬに従って対応するアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定すると決定し、端末が前記ＱＣＬ関係に従ってＰＵＣＣＨ送信を実行すると決定する。または、
端末が受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定すると決定し、端末が前記アップリンクビームインデックスに従って、対応するアップリンクビームＰＵＣＣＨ送信を実行すると決定する。または、
端末が受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定すると決定し、端末が前記ＰＵＣＣＨのＤＭＲＳポートと第１の基準信号のリソース上のポートとの間のＱＣＬ関係に従ってＰＵＣＣＨ送信を実行すると決定する。または、
端末が受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末が前記アップリンクＢＰＬに対応するアップリンクビームにより、ＰＵＣＣＨ送信を実行すると決定し、または、前記アップリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行すると決定する。または、
端末が受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定すると決定し、端末が前記アップリンクビームインデックスに従って、対応するアップリンクビームＰＵＣＣＨ送信を実行すると決定する。
【０１６６】
可能な実施モードの１つでは、前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有する。
【０１６７】
可能な実施モードの１つでは、端末がＰＤＣＣＨおよび／またはＰＤＳＣＨによって使用されるダウンリンクビームに従って、ＰＵＣＣＨ送信中に使用されるアップリンクビームを決定すると決定する場合、
端末が、事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定すると決定する。
【０１６８】
可能な実施モードの１つでは、端末がＰＤＣＣＨおよび／またはＰＤＳＣＨによって使用されるダウンリンクビームに従って、ＰＵＣＣＨ送信中に使用されるアップリンクビームを決定すると決定する場合、
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【０１６９】
可能な実施モードの１つでは、端末がＰＤＣＣＨおよび／またはＰＤＳＣＨによって使用されるダウンリンクビームに従って、ＰＵＣＣＨ送信中に使用されるアップリンクビームを決定すると決定する場合、
複数のＰＤＣＣＨおよび／またはＰＤＳＣＨが受信され、前記複数のＰＤＣＣＨおよび／またはＰＤＳＣＨによって使用されるビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信する。
【０１７０】
可能な実施モードの１つでは、端末がＰＤＣＣＨおよび／またはＰＤＳＣＨによって使用されるビームにより、ＰＵＣＣＨ送信中に使用されるアップリンクビームを決定すると決定する場合、
複数のダウンリンクビームと複数のアップリンクビームが複数のグループに分割され、各グループのダウンリンクビームと同じグループのアップリンクビームが対応関係を有する場合、
方式１：受信された第１のＰＤＣＣＨおよび／またはＰＤＳＣＨによって使用されるダウンリンクビーム−ｘに従って、第１のアップリンクビームを決定し、前記第１のアップリンクビームを使用して前記第１のＰＤＣＣＨおよび／またはＰＤＳＣＨに関連するＡＣＫ／ＮＡＣＫを運ぶＰＵＣＣＨを送信すると決定し、ここで、ダウンリンクビーム−ｘおよび第１のアップリンクビームが同じグループにあり、対応関係を有し、および／または、受信された第２のＰＤＣＣＨおよび／またはＰＤＳＣＨによって使用されるダウンリンクビーム−ｙに従って、第２のアップリンクビームを決定し、第２のアップリンクビームを使用して前記第２のＰＤＣＣＨおよび／またはＰＤＳＣＨに関連するＡＣＫ／ＮＡＣＫを運ぶＰＵＣＣＨを送信し、ここで、ダウンリンクビーム−ｙおよび第２のアップリンクビームが同じグループにあり、対応関係を有し、ここで、同じビームグループ内の異なるダウンリンクビームを使用して送信されるＰＤＣＣＨおよび／またはＰＤＳＣＨに関連するＡＣＫ／ＮＡＣＫが異なるタイミングで送信される。
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運ぶ。
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運ぶ。
【０１７１】
可能な実施モードの１つでは、端末がＰＤＣＣＨおよび／またはＰＤＳＣＨによって使用されるビームにより、ＰＵＣＣＨ送信中に使用されるアップリンクビームを決定すると決定する場合、
複数のダウンリンクビームが、ＰＵＣＣＨ送信用の１つのアップリンクプライマリビームにそれぞれ対応する複数のグループに分割される場合：
第１のグループに属するダウンリンクビームを使用して送信された第１のＰＤＣＣＨおよび／またはＰＤＳＣＨが受信された場合、前記第１のグループに対応する第１のアップリンクメインビームを使用して前記第１のＰＤＣＣＨおよび／またはＰＤＳＣＨに関連するＡＣＫ／ＮＡＣＫを運ぶＰＵＣＣＨを送信すると決定し、および／または、第２のグループに属するダウンリンクビームを使用して送信された第２のＰＤＣＣＨおよび／またはＰＤＳＣＨが受信された場合、第２のグループに対応する第２のアップリンクメインビームを使用して前記第２のＰＤＣＣＨおよび／またはＰＤＳＣＨに関連するＡＣＫ／ＮＡＣＫを運ぶＰＵＣＣＨを送信する。
【０１７２】
可能な実施モードの１つでは、ＰＵＣＣＨ送信中に使用されるアップリンクビームとして前記複数のアップリンクビームから１つのアップリンクビームを選択する場合、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記少なくとも１つのアップリンクビームに前記アップリンクメインビームが含まれていない場合、ＰＵＣＣＨ送信に使用されるアップリンクビームとして前記少なくとも１つのビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記少なくとも１つのアップリンクビームに前記メインセルに対応するアップリンクビームが存在しない場合、補助セルに対応するアップリンクビームをＰＵＣＣＨ送信中に使用されるアップリンクビームとする。
【０１７３】
可能な実施モードの１つでは、前記複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択する。
【０１７４】
第７の実施形態
ダウンリンクビーム１、ビーム２、ビーム３、ビーム４、ビーム５、ビーム６、アップリンクビーム１、ビーム２、ビーム３、およびビーム４が存在すると仮定する。ダウンリンクビーム１、ビーム２、ビーム３、ビーム４それぞれがアップリンクビーム１、ビーム２、ビーム３、ビーム４とペアリング関係を有する（すなわち相反性）。これらのアップリンクビームおよびダウンリンクビームすべては、１つのＴＲＰに対応するか、ビーム１と２が１つのグループ（ＴＲＰ１に対応）として設定され、ビーム３と４が１つのグループ（ＴＲＰ２に対応）として設定され、は特定のダウンリンクを使用してＰＤＣＣＨを受信するように設定される（たとえば、ダウンリンクビーム１および４）。
【０１７５】
ある状況では、アップリンクビーム１は、ペアリンケージに従って直接決定され、決定されたアップリンクビームに従ってＰＤＣＣＨが送信される場合がある。ビーム４を使用するＰＤＣＣＨのみが受信される場合、アップリンクビーム４はペアリンケージに従って直接決定され、ＰＤＣＣＨは決定されたアップリンクビームに従って送信される。
【０１７６】
別の状況（１つのTRPまたは、ＴＲＰ１およびＴＲＰ２に対して理想的なバックホール（ｂａｃｋｈａｕｌ）である）では、ビーム１およびビーム４を使用するＰＤＣＣＨが同時に受信され、かつ、ＰＤＣＣＨに関連するＡＣＫ／ＮＡＣＫが同時にフィードバックされる場合、ダウンリンクビームの優先順位に従って選択される。たとえば、ダウンリンクビームインデックスが最小から最大になる一方優先順位が下がる。または、ダウンリンクビーム１をダウンリンクメインビームとして定義する。または、ビームグループを定義し、かつ、ダウンリンクビーム１を含むビームグループ優先順位が高いと定義する場合、ダウンリンクビーム１を使用するＰＤＣＣＨに従って選択が行われ、アップリンクビーム１がダウンリンクビーム１に従って決定される。ＰＵＣＣＨは、決定されたアップリンクビームに従って送信され、ＰＵＣＣＨは、ビーム１およびビーム４を使用してＰＤＣＣＨに関連するＡＣＫ／ＮＡＣＫを同時に運ぶ。
【０１７７】
別の状況（ＴＲＰ１およびＴＲＰ２の非理想的なバックホール（ｂａｃｋｈａｕｌ））では、ビーム１およびビーム４を使用するＰＤＣＣＨが同時に受信され、かつ、ＰＤＣＣＨに関連するＡＣＫ／ＮＡＣＫが同時にフィードバックされる場合、対応するアップリンクビーム１がダウンリンクビーム１に従って決定され、ダウンリンクビーム１を使用するＰＤＣＣＨに関連するＡＣＫ／ＮＡＣＫを運ぶＰＵＣＣＨが当該アップリンクビーム１に従って送信される。そして、対応するアップリンクビーム２は、ダウンリンクビーム４に従って決定され、ダウンリンクビーム４を使用するＰＤＣＣＨに関連するＡＣＫ／ＮＡＣＫを運ぶＰＵＣＣＨは、当該アップリンクビーム２に従って送信される（すなわち、２つのＰＵＣＣＨが並行して送信される）。
【０１７８】
別の状況では、ビーム１およびビーム４を使用するＰＤＣＣＨが同時に受信され、。ム１を使用するＰＤＣＣＨに関連するＡＣＫ／ＮＡＣＫおよびビーム４を使用するＰＤＣＣＨに関連するＡＣＫ／ＮＡＣＫが同時にフィードバックされない場合、対応するアップリンクビーム１はダウンリンクビーム１に従って決定され、ダウンリンクビーム１を使用するＰＤＣＣＨに関連するＡＣＫ／ＮＡＣＫを運ぶＰＵＣＣＨは、対応するタイミング１で当該アップリンクビーム１に従って、ダウンリンクビーム１を使用するＰＤＣＣＨに関連するＡＣＫ／ＮＡＣＫを運ぶＰＵＣＣＨを送信する。ダウンリンクビーム４に従って、対応するアップリンクビーム２を決定し、対応するタイミング２で、当該アップリンクビーム２に従ってダウンリンクビーム４を使用するＰＤＣＣＨに関連するＡＣＫ／ＮＡＣＫを運ぶＰＵＣＣＨを送信する（すなわち、２つのＰＵＣＣＨは、時分割多重化（ＴＤＭ，Ｔｉｍｅ Ｄｉｖｉｓｉｏｎ Ｍｕｌｔｉｐｌｅｘｉｎｇ）によって送信される）。
【０１７９】
上述の技術的解決策のうちの１つ以上は、以下の技術的効果または利点を有する。
【０１８０】
本発明の実施形態では、５Ｇ ＮＲにおけるＰＵＣＣＨ送信中に使用されるアップリンクビームを決定する解決策が提供され、これは、新しい無線通信システムにおけるＰＵＣＣＨ送信シナリオをサポートして、正しいＰＵＣＣＨ送信を保証することができる。
【０１８１】
さらに、本発明の実施形態では、ＰＤＣＣＨおよび／またはＰＤＳＣＨによって使用されるダウンリンクビームに従って、ＰＵＣＣＨ送信中に使用されるアップリンクビームを決定するため、本発明の実施形態に係るＰＵＣＣＨ送信解決策は、実際の需要に応じて、ＰＤＣＣＨおよび／またはＰＤＳＣＨにより必要なアップリンクビームを調整することで、追加の通知シグナリングを増やすことなく正しいＰＵＣＣＨ送信を実施できる。
【０１８２】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１８３】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１８４】
３０１  決定ユニット
３０２  送信ユニット
４０１  プロセッサ
４０２  メモリ
４０３  送受信機
４０４  ユーザーインターフェース
５０１  プロセッサ
５０２  メモリ
【図１】
2020530716.tif 000003
【図２】
2020530716.tif 000004
【図３】
2020530716.tif 000005
【図４】
2020530716.tif 000006
【図５】
2020530716.tif 000007
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
ＰＤＣＣＨおよび／またはＰＤＳＣＨによって使用されるダウンリンクビームに従って、ＰＵＣＣＨ送信中に使用されるアップリンクビームを決定するステップと、
前記決定されたアップリンクビームにより、前記ＰＵＣＣＨ送信を実行するステップとを有することを特徴とする物理アップリンク制御チャネル（ＰＵＣＣＨ）送信方法。
【請求項２】
前記ＰＤＣＣＨは、ＡＣＫ／ＮＡＣＫフィードバックが前記ＰＵＣＣＨ上で実行される必要があるＰＤＣＣＨ、ＡＣＫ／ＮＡＣＫフィードバックが前記ＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨであることを特徴とする請求項１に記載の物理アップリンク制御チャネル（ＰＵＣＣＨ）送信方法。
【請求項３】
ＰＤＣＣＨおよび／またはＰＤＳＣＨによって使用されるダウンリンクビームに従って、ＰＵＣＣＨ送信中に使用されるアップリンクビームを決定し、前記決定されたアップリンクビームによって前記ＰＵＣＣＨ送信を実行する場合、
受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームを決定し、または前記ＰＵＣＣＨの復調基準信号ＤＭＲＳポートと第１の基準信号のリソース上のポートとの間のＱＣＬ関係を決定し、アップリンクビームにより、ＰＵＣＣＨ送信を実行し、または、前記ＱＣＬ関係に従ってＰＵＣＣＨ送信を実行し、または、
受信されたＰＤＣＣＨおよび／またはＰＤＳＣＨに対応するダウンリンクＢＰＬに従って対応するアップリンクビームインデックスを決定し、前記アップリンクビームインデックスに従って、対応するアップリンクビームＰＵＣＣＨ送信を実行し、または、
受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行し、または、
受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定し、前記アップリンクビームインデックスに従って、対応するアップリンクビームＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定し、前記ＰＵＣＣＨのＤＭＲＳポートと第１の基準信号のリソース上のポートとの間のＱＣＬ関係に従って、ＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームを決定し、または前記ＰＵＣＣＨのＤＭＲＳポートと第１の基準信号のリソース上のポートとの間のＱＣＬ関係を決定し、アップリンクビームにより、ＰＵＣＣＨ送信を実行し、または、前記ＱＣＬ関係に従ってＰＵＣＣＨ送信を実行し、または、
受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定し、前記アップリンクビームインデックスに従って、対応するアップリンクビームＰＵＣＣＨ送信を実行することを特徴とする請求項１に記載の物理アップリンク制御チャネル（ＰＵＣＣＨ）送信方法。
【請求項４】
前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有することを特徴とする請求項３に記載の物理アップリンク制御チャネル（ＰＵＣＣＨ）送信方法。
【請求項５】
ＰＤＣＣＨおよび／またはＰＤＳＣＨによって使用されるダウンリンクビームに従って、ＰＵＣＣＨ送信中に使用されるアップリンクビームを決定する場合、少なくとも以下の１つの手法で実行する：
手法１：
事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定し、
手法２：
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
前記決定されたアップリンクビームにより、前記ＰＵＣＣＨ送信を実行する場合、
決定されたアップリンクビームにより、同じＰＵＣＣＨ上で前記複数のＰＤＣＣＨおよび／またはＰＤＳＣＨに関連するＡＣＫ／ＮＡＣＫを送信し、
手法３：
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
前記決定されたアップリンクビームにより、前記ＰＵＣＣＨ送信を実行する場合、
決定されたアップリンクビームにより、同じＰＵＣＣＨ上で前記複数のＰＤＣＣＨおよび／またはＰＤＳＣＨに関連するＡＣＫ／ＮＡＣＫを送信し、
手法４：
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信されたＰＤＣＣＨおよび／またはＰＤＳＣＨによって使用されるダウンリンクビームに従ってアップリンクビームを決定し、ＰＤＣＣＨおよび／またはＰＤＳＣＨに関連するＡＣＫ／ＮＡＣＫを運ぶＰＵＣＣＨを送信するためにアップリンクビームが使用されることを決定し、アップリンクビームは同じグループにあり、対応関係を有し、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運び、
手法５：
複数のダウンリンクビームが、ＰＵＣＣＨ送信用の１つのアップリンクプライマリビームにそれぞれ対応する複数のグループに分割される場合：
ｉ番目のグループに属するダウンリンクビームを使用して送信されたＰＤＣＣＨおよび／またはＰＤＳＣＨを受信した場合、ｉ番目のグループに対応するアップリンクメインビームを使用してＰＤＣＣＨおよび／またはＰＤＳＣＨに関連するＡＣＫ／ＮＡＣＫを運ぶＰＵＣＣＨを送信することを決定することを特徴とする請求項１から請求項４のいずれか一項に記載の物理アップリンク制御チャネル（ＰＵＣＣＨ）送信方法。
【請求項６】
ＰＵＣＣＨ送信中に使用されるアップリンクビームとして前記複数のアップリンクビームから１つのアップリンクビームを選択する場合、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記複数のアップリンクビームに前記アップリンクメインビームが含まれる場合、ＰＵＣＣＨ送信に使用されるアップリンクビームとして前記複数のアップリンクビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記複数のアップリンクビームに前記メインセルに対応するアップリンクビームが存在しない場合、補助セルに対応するアップリンクビームをＰＵＣＣＨ送信中に使用されるアップリンクビームとし、
および／または、
前記複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択することを特徴とする請求項５に記載の物理アップリンク制御チャネル（ＰＵＣＣＨ）送信方法。
【請求項７】
端末がＰＤＣＣＨおよび／またはＰＤＳＣＨによって使用されるダウンリンクビームに従って、ＰＵＣＣＨ送信中に使用されるアップリンクビームを決定すると決定するステップと、
端末が前記決定されたアップリンクビームにより、前記ＰＵＣＣＨ送信を実行すると決定するステップとを有することを特徴とする物理アップリンク制御チャネル送信方法。
【請求項８】
前記ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨであることを特徴とする請求項７に記載の物理アップリンク制御チャネル送信方法。
【請求項９】
端末がＰＤＣＣＨおよび／またはＰＤＳＣＨによって使用されるダウンリンクビームに従って、ＰＵＣＣＨ送信中に使用されるアップリンクビームを決定すると決定し、前記決定されたアップリンクビームによって前記ＰＵＣＣＨ送信を実行する場合、
端末が受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末がアップリンクビームにより、ＰＵＣＣＨ送信を実行すると決定し、または、前記ＱＣＬ関係に従ってＰＵＣＣＨ送信を実行すると決定し、または、
端末が受信されたＰＤＣＣＨおよび／またはＰＤＳＣＨに対応するダウンリンクＢＰＬに従って対応するアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定すると決定し、端末が前記ＱＣＬ関係に従ってＰＵＣＣＨ送信を実行すると決定し、または、
端末が受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定すると決定し、端末が前記ＰＵＣＣＨのＤＭＲＳポートと第１の基準信号のリソース上のポートとの間のＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末がアップリンクビームにより、ＰＵＣＣＨ送信を実行すると決定し、または、前記ＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定すると決定し、端末が前記アップリンクビームインデックスに従って、対応するアップリンクビームＰＵＣＣＨ送信を実行すると決定することを特徴とする請求項７に記載の物理アップリンク制御チャネル送信方法。
【請求項１０】
前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有することを特徴とする請求項９に記載の物理アップリンク制御チャネル送信方法。
【請求項１１】
端末がＰＤＣＣＨおよび／またはＰＤＳＣＨによって使用されるダウンリンクビームに従って、ＰＵＣＣＨ送信中に使用されるアップリンクビームを決定すると決定する場合、少なくとも以下の１つの手法で実行する：
手法１：
端末が、事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定すると決定し、
手法２：
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信し、
手法３：
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信し、
手法４：
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信されたＰＤＣＣＨおよび／またはＰＤＳＣＨによって使用されるダウンリンクビームに従ってアップリンクビームを決定し、ＰＤＣＣＨおよび／またはＰＤＳＣＨに関連するＡＣＫ／ＮＡＣＫを運ぶＰＵＣＣＨを送信するためにアップリンクビームが使用されることを決定し、アップリンクビームは同じグループにあり、対応関係を有し、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運び、
手法５：
複数のダウンリンクビームが、ＰＵＣＣＨ送信用の１つのアップリンクプライマリビームにそれぞれ対応する複数のグループに分割される場合：
ｉ番目のグループに属するダウンリンクビームを使用して送信されたＰＤＣＣＨおよび／またはＰＤＳＣＨを受信した場合、ｉ番目のグループに対応するアップリンクメインビームを使用してＰＤＣＣＨおよび／またはＰＤＳＣＨに関連するＡＣＫ／ＮＡＣＫを運ぶＰＵＣＣＨを送信することを決定することを特徴とする請求項７から請求項１０のいずれか一項に記載の物理アップリンク制御チャネル送信方法。
【請求項１２】
ＰＵＣＣＨ送信中に使用されるアップリンクビームとして前記複数のアップリンクビームから１つのアップリンクビームを選択する場合、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記複数のアップリンクビームに前記アップリンクメインビームが含まれる場合、ＰＵＣＣＨ送信に使用されるアップリンクビームとして前記複数のアップリンクビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記複数のアップリンクビームに前記メインセルに対応するアップリンクビームが存在しない場合、補助セルに対応するアップリンクビームをＰＵＣＣＨ送信中に使用されるアップリンクビームとし、
および／または、
前記複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択することを特徴とする請求項１１に記載の物理アップリンク制御チャネル送信方法。
【請求項１３】
ＰＤＣＣＨおよび／またはＰＤＳＣＨによって使用されるダウンリンクビームに従って、ＰＵＣＣＨ送信中に使用されるアップリンクビームを決定するように構成された決定ユニットと、
前記決定されたアップリンクビームにより、前記ＰＵＣＣＨ送信を実行するように構成された送信ユニットとを備えることを特徴とするユーザー機器。
【請求項１４】
前記ＰＤＣＣＨは、ＡＣＫ／ＮＡＣＫフィードバックが前記ＰＵＣＣＨ上で実行される必要があるＰＤＣＣＨ、ＡＣＫ／ＮＡＣＫフィードバックが前記ＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨであることを特徴とする請求項１３に記載のユーザー機器。
【請求項１５】
ＰＤＣＣＨおよび／またはＰＤＳＣＨによって使用されるダウンリンクビームに従って、ＰＵＣＣＨ送信中に使用されるアップリンクビームを決定し、前記決定されたアップリンクビームによって前記ＰＵＣＣＨ送信を実行する場合、
前記決定ユニットは、受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームを決定し、または前記ＰＵＣＣＨの復調基準信号ＤＭＲＳポートと第１の基準信号のリソース上のポートとの間のＱＣＬ関係を決定し、アップリンクビームにより、ＰＵＣＣＨ送信を実行し、または、前記ＱＣＬ関係に従ってＰＵＣＣＨ送信を実行し、または、
前記決定ユニットは、受信されたＰＤＣＣＨおよび／またはＰＤＳＣＨに対応するダウンリンクＢＰＬに従って対応するアップリンクビームインデックスを決定し、前記アップリンクビームインデックスに従って、対応するアップリンクビームＰＵＣＣＨ送信を実行し、または、
前記決定ユニットは、受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定し、前記ＱＣＬ関係に従ってＰＵＣＣＨ送信を実行し、または、
前記決定ユニットは、受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定し、前記アップリンクビームインデックスに従って、対応するアップリンクビームＰＵＣＣＨ送信を実行し、または、
前記決定ユニットは、受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定し、前記ＰＵＣＣＨのＤＭＲＳポートと第１の基準信号のリソース上のポートとの間のＱＣＬ関係に従って、ＰＵＣＣＨ送信を実行し、または、
前記決定ユニットは、受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームを決定し、または前記ＰＵＣＣＨのＤＭＲＳポートと第１の基準信号のリソース上のポートとの間のＱＣＬ関係を決定し、アップリンクビームにより、ＰＵＣＣＨ送信を実行し、または、前記ＱＣＬ関係に従ってＰＵＣＣＨ送信を実行し、または、
前記決定ユニットは、受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定し、前記アップリンクビームインデックスに従って、対応するアップリンクビームＰＵＣＣＨ送信を実行することを特徴とする請求項１３に記載のユーザー機器。
【請求項１６】
前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有することを特徴とする請求項１５に記載のユーザー機器。
【請求項１７】
前記決定ユニットが、ＰＤＣＣＨおよび／またはＰＤＳＣＨによって使用されるダウンリンクビームに従って、ＰＵＣＣＨ送信中に使用されるアップリンクビームを決定する場合、少なくとも以下の１つの手法で実行する：
手法１：
事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定し、
手法２：
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
前記決定されたアップリンクビームにより、前記ＰＵＣＣＨ送信を実行する場合、
決定されたアップリンクビームにより、同じＰＵＣＣＨ上で前記複数のＰＤＣＣＨおよび／またはＰＤＳＣＨに関連するＡＣＫ／ＮＡＣＫを送信し、
手法３：
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
前記決定されたアップリンクビームにより、前記ＰＵＣＣＨ送信を実行する場合、
決定されたアップリンクビームにより、同じＰＵＣＣＨ上で前記複数のＰＤＣＣＨおよび／またはＰＤＳＣＨに関連するＡＣＫ／ＮＡＣＫを送信し、
手法４：
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信されたＰＤＣＣＨおよび／またはＰＤＳＣＨによって使用されるダウンリンクビームに従ってアップリンクビームを決定し、ＰＤＣＣＨおよび／またはＰＤＳＣＨに関連するＡＣＫ／ＮＡＣＫを運ぶＰＵＣＣＨを送信するためにアップリンクビームが使用されることを決定し、アップリンクビームは同じグループにあり、対応関係を有し、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運び、
手法５：
複数のダウンリンクビームが、ＰＵＣＣＨ送信用の１つのアップリンクプライマリビームにそれぞれ対応する複数のグループに分割される場合：
ｉ番目のグループに属するダウンリンクビームを使用して送信されたＰＤＣＣＨおよび／またはＰＤＳＣＨを受信した場合、ｉ番目のグループに対応するアップリンクメインビームを使用してＰＤＣＣＨおよび／またはＰＤＳＣＨに関連するＡＣＫ／ＮＡＣＫを運ぶＰＵＣＣＨを送信することを決定することを特徴とする請求項１３から請求項１６のいずれか一項に記載のユーザー機器。
【請求項１８】
前記決定ユニットが、ＰＵＣＣＨ送信中に使用されるアップリンクビームとして前記複数のアップリンクビームから１つのアップリンクビームを選択する場合、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記複数のアップリンクビームに前記アップリンクメインビームが含まれる場合、ＰＵＣＣＨ送信に使用されるアップリンクビームとして前記複数のアップリンクビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記複数のアップリンクビームに前記メインセルに対応するアップリンクビームが存在しない場合、補助セルに対応するアップリンクビームをＰＵＣＣＨ送信中に使用されるアップリンクビームとし、
および／または、
前記複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択することを特徴とする請求項１７に記載のユーザー機器。
【請求項１９】
端末がＰＤＣＣＨおよび／またはＰＤＳＣＨによって使用されるダウンリンクビームに従って、ＰＵＣＣＨ送信中に使用されるアップリンクビームを決定すると決定し、および、端末が前記決定されたアップリンクビームにより、前記ＰＵＣＣＨ送信を実行すると決定するように構成された決定ユニットを備えることを特徴とする物理アップリンク制御チャネル送信装置。
【請求項２０】
前記ＰＤＣＣＨは、ＡＣＫ／ＮＡＣＫフィードバックが実行される必要があるＰＤＣＣＨ、ＡＣＫ／ＮＡＣＫフィードバックがＰＵＣＣＨ上で実行される必要があるＰＤＳＣＨに対応するＰＤＣＣＨ、マルチキャストＰＤＣＣＨのうちの１つまたは組み合わせであり、および／または、
前記ＰＤＳＣＨは、ＡＣＫ／ＮＡＣＫフィードバックが前記ＰＵＣＣＨ上で実行される必要があるＰＤＳＣＨであることを特徴とする請求項１９に記載の物理アップリンク制御チャネル送信装置。
【請求項２１】
前記決定ユニットが、端末がＰＤＣＣＨおよび／またはＰＤＳＣＨによって使用されるダウンリンクビームに従って、ＰＵＣＣＨ送信中に使用されるアップリンクビームを決定すると決定し、前記決定されたアップリンクビームによって前記ＰＵＣＣＨ送信を実行する場合、
端末が受信されたＰＤＣＣＨおよび／またはＰＤＳＣＨに対応するダウンリンクビームペアリンケージ（ＢＰＬ）に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末がアップリンクビームにより、ＰＵＣＣＨ送信を実行すると決定し、または、前記ＱＣＬ関係に従ってＰＵＣＣＨ送信を実行すると決定し、または、
端末が受信されたＰＤＣＣＨおよび／またはＰＤＳＣＨに対応するダウンリンクＢＰＬに従って対応するアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨに対応するダウンリンクＢＰＬに従って前記ＰＵＣＣＨのＤＭＲＳポートと第１の基準信号のリソース上のポートとの間のＱＣＬ関係を決定すると決定し、端末が前記ＱＣＬ関係に従ってＰＵＣＣＨ送信を実行すると決定し、または、
端末が受信されたＰＤＣＣＨおよび／またはＰＤＳＣＨに対応するダウンリンクビームのダウンリンクビームインデックスに従って、ＰＵＣＣＨ送信を実行するアップリンクビームを識別するためのアップリンクビームインデックスを決定すると決定し、端末が前記アップリンクビームインデックスに従って、対応するアップリンクビームＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、前記ＰＵＣＣＨのＤＭＲＳポートと第１の基準信号のリソース上のポートとの間のＱＣＬ関係を決定すると決定し、端末が前記ＰＵＣＣＨのＤＭＲＳポートと第１の基準信号のリソース上のポートとの間のＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクＢＰＬを決定し、前記アップリンクＢＰＬに従ってＰＵＣＣＨ送信中に使用されるアップリンクビームまたは前記ＰＵＣＣＨのＤＭＲＳポートと第１の基準信号のリソース上のポートとの間のＱＣＬ関係を決定すると決定し、端末がアップリンクビームにより、ＰＵＣＣＨ送信を実行すると決定し、または、前記ＱＣＬ関係に従ってＰＵＣＣＨ送信を実行すると決定し、または、
端末が受信されたＰＤＣＣＨおよび／またはＰＤＳＣＨのＤＭＲＳポートと第２の基準信号のリソース上のポートとの間のＱＣＬ関係に従って、対応するアップリンクビームインデックスを決定すると決定し、端末が前記アップリンクビームインデックスに従って、対応するアップリンクビームＰＵＣＣＨ送信を実行すると決定することを特徴とする請求項１９に記載の物理アップリンク制御チャネル送信装置。
【請求項２２】
前記ＰＤＣＣＨおよび／またはＰＤＳＣＨのＤＭＲＳポートと第２の基準信号のリソース上のポートとの間のＱＣＬ関係は、
前記ＰＤＣＣＨおよび／またはＰＤＳＣＨのＤＭＲＳポートと、１つの設定された第２の基準信号のリソース上のすべてのポートまたは１つの指定されたポートとの間にＱＣＬ関係を有し、または、
前記ＰＵＣＣＨのＤＭＲＳポートと第１の基準信号のリソース上のポートとの間のＱＣＬ関係は、
前記ＰＵＣＣＨのＤＭＲＳポートと、１つの設定された第１の基準信号のリソース上のすべてのポートまたは１つの指定されたポートとの間にＱＣＬ関係を有することを特徴とする請求項２１に記載の物理アップリンク制御チャネル送信装置。
【請求項２３】
前記決定ユニットが、端末がＰＤＣＣＨおよび／またはＰＤＳＣＨによって使用されるダウンリンクビームに従って、ＰＵＣＣＨ送信中に使用されるアップリンクビームを決定すると決定する場合、少なくとも以下の１つの手法で実行する：
手法１：
端末が、事前に決定された１つまたは複数のダウンリンクビームと１つのアップリンクビームとの間の対応関係に従って、ＰＵＣＣＨ送信中に使用されるアップリンクビームとしてＰＤＣＣＨおよび／またはＰＤＳＣＨによって使用されるダウンリンクビームに対応するアップリンクビームを決定すると決定し、
手法２：
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームに対応する複数のアップリンクビームを決定し、ＰＵＣＣＨ送信中に使用されるアップリンクビームとして前記複数のアップリンクビームから１つのアップリンクビームを選択し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信し、
手法３：
複数のＰＤＣＣＨおよび／またはＰＤＳＣＨが受信され、前記複数のＰＤＣＣＨおよび／またはＰＤＳＣＨによって使用されるダウンリンクビームが異なり、前記複数のＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、
端末が前記決定されたアップリンクビームによってＰＵＣＣＨ送信を実行することを決定する場合、
決定されたアップリンクビームにより、同じＰＵＣＣＨ上で前記複数のＰＤＣＣＨおよび／またはＰＤＳＣＨに関連するＡＣＫ／ＮＡＣＫを送信し、
手法４：
複数のダウンリンクビームと複数のアップリンクビームが複数のグループに分割され、各グループのダウンリンクビームと同じグループのアップリンクビームが対応関係を有する場合、次の方式のいずれかまたは次の方式の組み合わせを使用する：
方式１：受信されたＰＤＣＣＨおよび／またはＰＤＳＣＨによって使用されるダウンリンクビームに従ってアップリンクビームを決定し、ＰＤＣＣＨおよび／またはＰＤＳＣＨに関連するＡＣＫ／ＮＡＣＫを運ぶＰＵＣＣＨを送信するためにアップリンクビームが使用されることを決定し、アップリンクビームは同じグループにあり、対応関係を有し、同じビームグループ内の異なるダウンリンクビームを使用して送信されるＰＤＣＣＨおよび／またはＰＤＳＣＨに関連するＡＣＫ／ＮＡＣＫが異なるタイミングで送信され、
方式２：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記グループ内の前記複数のダウンリンクビームに対応する複数のアップリンクビームを決定し、ＰＵＣＣＨ送信中に使用されるアップリンクビームとして前記複数のアップリンクビームから１つのアップリンクビームを選択し、前記ＰＵＣＣＨは前記ＰＤＣＣＨおよび／またはＰＤＳＣＨに関連するＡＣＫ／ＮＡＣＫを運び、
方式３：複数の同じグループの異なるダウンリンクビームを使用して送信されたＰＤＣＣＨおよび／またはＰＤＳＣＨを受信し、かつ前記ＰＤＣＣＨおよび／またはＰＤＳＣＨに関連するＡＣＫ／ＮＡＣＫが同じタイミングでフィードバックされる場合、前記複数のダウンリンクビームから１つのダウンリンクビームを選択し、選択された１つのダウンリンクビームに従って、ＰＵＣＣＨ送信中に使用されるアップリンクビームを決定し、前記ＰＵＣＣＨは前記ＰＤＣＣＨおよび／またはＰＤＳＣＨに関連するＡＣＫ／ＮＡＣＫを運び、
手法５：
複数のダウンリンクビームが、ＰＵＣＣＨ送信用の１つのアップリンクプライマリビームにそれぞれ対応する複数のグループに分割される場合：
ｉ番目のグループに属するダウンリンクビームを使用して送信されたＰＤＣＣＨおよび／またはＰＤＳＣＨを受信した場合、ｉ番目のグループに対応するアップリンクメインビームを使用してＰＤＣＣＨおよび／またはＰＤＳＣＨに関連するＡＣＫ／ＮＡＣＫを運ぶＰＵＣＣＨを送信することを決定することを特徴とする請求項１９から請求項２２のいずれか一項に記載の物理アップリンク制御チャネル送信装置。
【請求項２４】
前記決定ユニットが、ＰＵＣＣＨ送信中に使用されるアップリンクビームとして前記複数のアップリンクビームから１つのアップリンクビームを選択する場合、
事前設定または事前合意されたアップリンクビームまたはセル優先順位に従って、ＰＵＣＣＨ送信中に使用されるアップリンクビームとして前記複数のアップリンクビームから１つを選択し、または、
前記複数のアップリンクビームに事前設定または事前合意されたアップリンクメインビームが含まれる場合、ＰＵＣＣＨ送信に使用されるアップリンクビームとして前記アップリンクメインビームを決定し、および前記複数のアップリンクビームに前記アップリンクメインビームが含まれる場合、ＰＵＣＣＨ送信に使用されるアップリンクビームとして前記複数のアップリンクビームのうちの指定番号が付けられた補助ビームを決定し、または、
前記複数のアップリンクビームに事前設定または事前合意されたメインセルに対応するアップリンクビームが存在する場合、前記メインセルに対応するアップリンクビームをＰＵＣＣＨ送信中に使用されるアップリンクビームとし、および前記複数のアップリンクビームに前記メインセルに対応するアップリンクビームが存在しない場合、補助セルに対応するアップリンクビームをＰＵＣＣＨ送信中に使用されるアップリンクビームとし、
および／または、
前記複数のダウンリンクビームから１つのダウンリンクビームを選択し、選択された１つのダウンリンクビームに従って、ＰＵＣＣＨ送信中に使用されるアップリンクビームを決定する場合、
事前設定または事前合意されたダウンリンクビーム優先順位、ビームグループ優先順位またはセル優先順位に従って、１つのダウンリンクビームを選択し、選択された１つのダウンリンクビームに従ってＰＵＣＣＨ送信中に使用されるアップリンクビームを決定し、または、
ダウンリンクメインビームを使用して送信されたＰＤＣＣＨおよび／またはＰＤＳＣＨが受信された場合、前記ダウンリンクメインビームに従って、ＰＵＣＣＨ送信中に使用されるアップリンクビームを決定し、および／または、メインセルにおいてＰＤＣＣＨおよび／またはＰＤＳＣＨ送信が受信された場合、前記メインセルに対応するダウンリンクビームに従って、ＰＵＣＣＨ送信中に使用されるアップリンクビームを決定し、および、前記ダウンリンクメインビームを使用するＰＤＣＣＨおよび／またはＰＤＳＣＨが受信されない場合、または、メインセルにおいてＰＤＣＣＨおよび／またはＰＤＳＣＨ送信が受信されない場合、受信されたＰＤＣＣＨおよび／またはＰＤＳＣＨ送信に使用される指定番号が付けられたダウンリンク補助ビームに従って、ＰＵＣＣＨ送信中に使用されるアップリンクビームを決定し、および／または、ＰＤＣＣＨおよび／またはＰＤＳＣＨ送信が受信された補助セルに対応するダウンリンクビームに従って、ＰＵＣＣＨ送信中に使用されるアップリンクビームを決定し、ここで、ダウンリンクメインビーム、メインセルは事前設定または事前合意されたセルであり、または、
ダウンリンクメインビームグループ内の１つのダウンリンクビームを使用して送信されたＰＤＣＣＨおよび／またはＰＤＳＣＨが受信された場合、ＰＵＣＣＨ送信中に使用されるアップリンクビームとしてメインビームグループに対応するアップリンクメインビームを決定し、ここで、メインビームグループおよびメインビームグループに対応するアップリンクメインビームは事前設定または事前定義されたビームであり、および、前記ダウンリンクメインビームグループ内のいずれかのダウンリンクビームを使用して送信されたＰＤＣＣＨおよび／またはＰＤＳＣＨが受信されない場合、ダウンリンク補助ビームグループ内のダウンリンクビームを使用して送信されたＰＤＣＣＨおよび／またはＰＤＳＣＨが受信された場合、ＰＵＣＣＨ送信中に使用されるビームとして前記ダウンリンク補助ビームグループに対応するアップリンク補助ビームを決定し、および、複数のダウンリンク補助ビームグループが存在する場合、ダウンリンク補助ビームグループの優先順位またはダウンリンク補助ビームグループの番号順位に従って、１つのダウンリンク補助ビームグループを選択することを特徴とする請求項２３に記載の物理アップリンク制御チャネル送信装置。
【国際調査報告】
2020530716.tif 000008
2020530716.tif 000009
2020530716.tif 000010
2020530716.tif 000011